(57)【要約】  ワイヤレス通信のための方法、装置、およびコンピュータ可読媒体が提供される。装置は、ワイヤレスインターフェースを介して、発見メッセージのフィルタリングおよび処理に関する情報を含むポリシーを受信する。ポリシーは、セルラネットワークから、またはネットワークサーバから受信されうる。装置は、ポリシーに基づいて、フィルタリング規則のセットおよび処理規則のセットを決定する。装置は、フィルタリング規則のセットおよび処理規則のセットを記憶しうる。デバイス対デバイス通信チャネル上で発見メッセージを受信すると、装置は、発見メッセージにフィルタリング規則のセットを適用する。デバイス対デバイス通信チャネルは、ワイヤレス通信チャネルでありうる。発見メッセージがフィルタリング規則のセットにパスしたことに応じて、発見メッセージに処理規則のセットを適用しうる。装置は、処理された発見メッセージを再ブロードキャストしうる。【選択図】図９
2019503108.tif 000002
【特許請求の範囲】
【請求項１】
ワイヤレス通信の方法であって、
発見メッセージのフィルタリングおよび処理に関する情報を含むポリシーに基づいて、フィルタリング規則のセットおよび処理規則のセットを決定することと、
前記フィルタリング規則のセットを受信された発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を備える、方法。
【請求項２】
前記ポリシーを受信することをさらに備え、前記ポリシーは、ワイヤレスインターフェースを介して受信され、前記ワイヤレスインターフェースは、基地局またはアクセスポイントからのダウンリンクチャネルである、請求項１に記載の方法。
【請求項３】
デバイス対デバイス通信チャネル上で前記発見メッセージを受信することをさらに備え、前記デバイス対デバイス通信チャネルは、ワイヤレス通信チャネルである、請求項１に記載の方法。
【請求項４】
前記ポリシーは、ネットワークから、またはネットワークサーバから受信される、請求項１に記載の方法。
【請求項５】
前記ネットワークサーバは、近接サービス（ＰｒｏＳｅ）サーバである、請求項４に記載の方法。
【請求項６】
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、請求項１に記載の方法。
【請求項７】
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、請求項１に記載の方法。
【請求項８】
前記フィルタリング規則のセットは、前記発見メッセージが再ブロードキャストを行われるべきかどうかを決定し、前記発見メッセージは、前記発見メッセージが再ブロードキャストを行われるべきと前記フィルタリング規則のセットが決定するときに、前記フィルタリング規則のセットにパスする、請求項１に記載の方法。
【請求項９】
前記処理規則のセットを適用することは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を備える、請求項１に記載の方法。
【請求項１０】
前記発見メッセージは、前記発見メッセージの受信のためのと同じデバイス対デバイス通信チャネル、または異なるデバイス対デバイス通信チャネル上で再ブロードキャストされる、請求項１に記載の方法。
【請求項１１】
ワイヤレス通信の方法であって、
受信された発見メッセージからメッセージ情報を抽出することと、
前記抽出されたメッセージ情報を送信することと、
前記発見メッセージの再ブロードキャストに関する命令を受信することと、
前記受信された命令に基づいて、前記発見メッセージを再ブロードキャストすることと、
を備える、方法。
【請求項１２】
デバイス対デバイス通信チャネル上で前記発見メッセージを受信することと、
前記発見メッセージの再ブロードキャストに関する命令がネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
をさらに備える、請求項１１に記載の方法。
【請求項１３】
前記抽出されたメッセージ情報は、第１のワイヤレスインターフェースを介して送信され、前記命令は、第２のワイヤレスインターフェースを介して受信され、ここにおいて、前記第２のワイヤレスインターフェースは、前記第１のワイヤレスインターフェースと同じワイヤレスインターフェースであるか、または異なるワイヤレスインターフェースである、請求項１１に記載の方法。
【請求項１４】
前記抽出されたメッセージ情報は、前記発見メッセージの少なくとも一部を備える、請求項１１に記載の方法。
【請求項１５】
前記抽出されたメッセージ情報は、ネットワークに、またはネットワークサーバに送信される、請求項１１に記載の方法。
【請求項１６】
前記命令は、前記発見メッセージの変更、または前記発見メッセージ上の変化させられるべきある特定のフィールドに関する情報を備える、請求項１１に記載の方法。
【請求項１７】
前記発見メッセージの再ブロードキャストに関する前記命令に基づいて、前記発見メッセージを処理することをさらに備え、前記発見メッセージを再ブロードキャストすることは、前記処理された発見メッセージを再ブロードキャストすることを備える、請求項１１に記載の方法。
【請求項１８】
ワイヤレス通信のための装置であって、
メモリと、
前記メモリに結合され、かつ
発見メッセージのフィルタリングおよび処理に関する情報を含むポリシーに基づいて、フィルタリング規則のセットおよび処理規則のセットを決定することと、
前記フィルタリング規則のセットを前記発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を行うように構成された少なくとも１つのプロセッサと、
を備える、装置。
【請求項１９】
前記少なくとも１つのプロセッサは、前記ポリシーを受信するようにさらに構成され、前記ポリシーは、ワイヤレスインターフェースを介して受信され、前記ワイヤレスインターフェースは、基地局またはアクセスポイントからのダウンリンクチャネルである、請求項１８に記載の装置。
【請求項２０】
前記ポリシーは、ネットワークから、またはネットワークサーバから受信される、請求項１８に記載の装置。
【請求項２１】
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、請求項１８に記載の装置。
【請求項２２】
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、請求項１８に記載の装置。
【請求項２３】
前記フィルタリング規則のセットは、前記発見メッセージが再ブロードキャストを行われるべきかどうかを決定し、前記発見メッセージは、前記発見メッセージが再ブロードキャストを行われるべきと前記フィルタリング規則のセットが決定するときに、前記フィルタリング規則のセットにパスする、請求項１８に記載の装置。
【請求項２４】
前記処理規則のセットを適用するために、前記少なくとも１つのプロセッサは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を実行するように構成される、請求項１８に記載の装置。
【請求項２５】
ワイヤレス通信のための装置であって、
メモリと、
前記メモリに結合され、かつ
受信された発見メッセージからメッセージ情報を抽出することと、
前記抽出されたメッセージ情報を送信することと、
前記発見メッセージの再ブロードキャストに関する命令を受信することと、
前記受信された命令に基づいて、前記発見メッセージを再ブロードキャストすることと、
を行うように構成された少なくとも１つのプロセッサと、
を備える、装置。
【請求項２６】
前記少なくとも１つのプロセッサは、
デバイス対デバイス通信チャネル上で前記発見メッセージを受信することと、
前記発見メッセージの再ブロードキャストに関する命令がネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
を行うようにさらに構成される、請求項２５に記載の装置。
【請求項２７】
前記抽出されたメッセージ情報は、前記発見メッセージの少なくとも一部を備える、請求項２５に記載の装置。
【請求項２８】
前記抽出されたメッセージ情報は、ネットワークに、またはネットワークサーバに送信される、請求項２５に記載の装置。
【請求項２９】
前記命令は、前記発見メッセージの変更、または前記発見メッセージ上の変化させられるべきある特定のフィールドに関する情報を備える、請求項２５に記載の装置。
【請求項３０】
前記少なくとも１つのプロセッサは、前記発見メッセージの再ブロードキャストに関する前記命令に基づいて、前記発見メッセージを処理するようにさらに構成され、前記発見メッセージを再ブロードキャストするために、前記少なくとも１つのプロセッサは、前記処理された発見メッセージを再ブロードキャストするように構成される、請求項２５に記載の装置。
【発明の詳細な説明】
【関連出願の相互参照】
【０００１】
[0001]本願は、２０１５年１１月２３日付で出願された「NETWORK-BASED CONTROL FOR THE RELAYING OF DEVICE-TO-DEVICE DISCOVERY MESSAGES」と題する米国特許出願第１４／９４８，８８２号の利益を主張し、これは、全体として本明細書に参照によって明示的に組み込まれる。
【技術分野】
【０００２】
[0002]本開示は概して、通信システムに関し、より具体的には、デバイス対デバイス発見メッセージの中継に関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（たとえば、帯域幅、送信電力）を共有することによって複数のユーザとの通信をサポートする能力を有する多元接続技術を採用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが市区町村、国、地域、さらにはグローバルレベルで通信することを可能とする共通のプロトコルを提供するために、様々な電気通信規格において導入されてきた。例となる電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張型（enhancement to）のセットである。ＬＴＥは、ダウンリンク（ＤＬ）上ではＯＦＤＭＡを使用し、アップリンク（ＵＬ）上ではＳＣ−ＦＤＭＡを使用し、および多入力多出力（ＭＩＭＯ）アンテナ技術を使用して、スペクトル効率を向上させること、コストを下げること、サービスを向上させること、新たなスペクトルを利用すること、および他のオープン規格とより良好に統合することによって、モバイルブロードバンドインターネットアクセスをより良好にサポートするように設計されている。しかしながら、モバイルブロードバンドアクセスを求める需要が増加し続けるのに伴い、ＬＴＥ技術のさらなる向上を求めるニーズが存在する。望ましくは、これらの向上は、他の多元接続技術およびこれらの技術を用いる電気通信規格に適用可能であるべきである。
【発明の概要】
【０００５】
[0005]本開示の態様では、ワイヤレス通信のための方法、コンピュータ可読媒体、および装置が提供される。装置は、発見メッセージのフィルタリングおよび処理に関する情報を含むポリシーを受信する。装置は、ポリシーに基づいて、フィルタリング規則のセットおよび処理規則のセットを決定する。装置は、フィルタリング規則のセットおよび処理規則のセットを記憶しうる。デバイス対デバイス通信チャネル上で発見メッセージを受信すると、装置は、発見メッセージにフィルタリング規則のセットを適用する。装置は、発見メッセージがフィルタリング規則のセットにパスしたことに応じて、発見メッセージに処理規則のセットを適用しうる。装置は、処理された発見メッセージを再ブロードキャストしうる。
【０００６】
[0006]本開示の別の態様では、ワイヤレス通信のための方法、コンピュータ可読媒体、および装置が提供される。装置は、デバイス対デバイス通信チャネル上で発見メッセージを受信する。装置は、発見メッセージの再ブロードキャストに関する命令がネットワークから取得されることになるかどうかを決定するために、発見メッセージにフィルタ機能を適用する。装置は、発見メッセージの再ブロードキャストに関する命令がネットワークから取得されることになるという、フィルタ機能の適用の結果に応じて、発見メッセージからメッセージ情報を抽出しうる。装置は、抽出されたメッセージ情報を送信しうる。装置は、発見メッセージの再ブロードキャストに関する命令を受信しうる。装置は、発見メッセージの再ブロードキャストに関する命令に基づいて、発見メッセージを処理しうる。装置は、受信された命令に基づいて、処理された発見メッセージを再ブロードキャストしうる。
【図面の簡単な説明】
【０００７】
【図１】ネットワークアーキテクチャの例を例示する図である。
【図２】アクセスネットワークの例を例示する図である。
【図３】ＬＴＥにおけるＤＬフレーム構造の例を例示する図である。
【図４】ＬＴＥにおけるＵＬフレーム構造の例を例示する図である。
【図５】ユーザおよび制御プレーンのための無線プロトコルアーキテクチャの例を例示する図である。
【図６】アクセスネットワークにおける発展型ノードＢおよびユーザ機器の例を例示する図である。
【図７】デバイス対デバイス通信システムの図である。
【図８】デバイス対デバイス通信システムにおけるデバイス対デバイス発見メッセージの中継のためのネットワークベース制御メカニズムを使用する例を例示する図である。
【図９】発見メッセージの中継または再ブロードキャストのためのネットワークベース制御メカニズムの例を例示する図である。
【図１０】ワイヤレス通信の方法のフローチャートである。
【図１１】デバイス対デバイス通信システムにおけるデバイス対デバイス発見メッセージの中継のためのネットワークベース制御メカニズムの例を例示する図である。
【図１２】発見メッセージの中継または再ブロードキャストのためのネットワークベース制御メカニズムの例を例示する図である。
【図１３】ワイヤレス通信の方法のフローチャートである。
【図１４】実例的な装置における異なる手段／コンポーネント間のデータフローを例示する概念上のデータフロー図である。
【図１５】処理システムを用いる装置のためのハードウェア実装の例を例示する図である。
【詳細な説明】
【０００８】
[0022]添付の図面に関係して以下で述べられる詳細な説明は、様々な構成の説明として意図されており、本明細書で説明される概念が実施されうる唯一の構成（the only configurations）を表すようには意図されていない。詳細な説明は、様々な概念の完全な理解を提供する目的で具体的な詳細を含む。しかしながら、これらの概念がこれらの具体的な詳細なしに実施されうることは、当業者には明らかだろう。いくつかの事例では、周知の構造およびコンポーネントが、そのような概念を曖昧にすることを回避するためにブロック図の形態で図示される。
【０００９】
[0023]電気通信システムのいくつかの態様は、様々な装置および方法を参照してこれから提示される。これらの装置および方法は、様々なブロック、コンポーネント、回路、ステップ、プロセス、アルゴリズム等（集合的に、「要素」と称される）によって、以下の詳細な説明において説明され、添付の図面において例示される。これらの要素は、電子ハードウェア、コンピュータソフトウェア、またはそれらの何れの組合せも使用して実装されうる。このような要素がハードウェアとして実装されるかソフトウェアとして実装されるかは、システム全体に課された設計制約および特定のアプリケーションに依存する。
【００１０】
[0024]例として、要素、または要素のあらゆる部分、または要素のあらゆる組合せが、１つまたは複数のプロセッサを含む「処理システム」で実装されうる。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理回路、ディスクリートハードウェア回路、および本開示全体を通じて説明される様々な機能性を実行するように構成された他の適したハードウェアを含む。処理システムにおける１つまたは複数のプロセッサはソフトウェアを実行しうる。ソフトウェアは、ソフトウェア、ファームウェア、ミドルウェア、マイクロコード、ハードウェア記述言語、または別の形の何れで称されようと、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味するよう広範に解釈されることとする。
【００１１】
[0025]したがって、１つまたは複数の実例的な実施形態では、説明される機能が、ハードウェア、ソフトウェア、ファームウェア、またはそれらの何れの組合せにおいても実装されうる。ソフトウェアで実行される場合、機能は、コンピュータ可読媒体上で１つまたは複数の命令またはコードとして符号化されるか、または記憶されうる。コンピュータ可読媒体はコンピュータ記憶媒体を含む。記憶媒体は、コンピュータによってアクセスされうる何れの利用可能な媒体でもありうる。限定ではなく例として、このようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光学ディスクストレージ、磁気ディスクストレージまたは他の磁気記憶デバイス、上述のタイプのコンピュータ可読媒体の組合せ、あるいはコンピュータによってアクセスされうるデータ構造または命令の形態のコンピュータ実行可能コードを記憶するために使用されうる何れの他の媒体も備えうる。
【００１２】
[0026]図１は、ＬＴＥネットワークアーキテクチャ１００を例示する図である。ＬＴＥネットワークアーキテクチャ１００は、発展型パケットシステム（ＥＰＳ）１００と称されうる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、およびオペレータのインターネットプロトコル（ＩＰ）サービス１２２を含みうる。ＥＰＳは、他のアクセスネットワークと相互接続しうるが、簡潔さのためにそれらのエンティティ／インターフェースは図示されていない。図示されているように、ＥＰＳはパケット交換サービスを提供するけれども、当業者が容易に認識するように、本開示全体を通じて提示されている様々な概念が、回線交換サービスを提供するネットワークに拡張されうる。
【００１３】
[0027]Ｅ−ＵＴＲＡＮは、発展型ノードＢ（ｅＮＢ）１０６および他のｅＮＢ１０８を含み、マルチキャスト協調エンティティ（ＭＣＥ）１２８を含みうる。ｅＮＢ１０６は、ＵＥ１０２に向けたユーザおよび制御プレーンプロトコル終端を提供する。ｅＮＢ１０６は、バックホール（たとえば、Ｘ２インターフェース）を介して、他のｅＮＢ１０８に接続されうる。ＭＣＥ１２８は、発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディングスキーム（ＭＣＳ））を決定する。ＭＣＥ１２８は、ｅＮＢ１０６の一部または別個のエンティティでありうる。ｅＮＢ１０６はまた、基地局、ノードＢ、アクセスポイント、基地トランシーバ局、無線基地局、無線トランシーバ、トランシーバ機能、基本サービスセット（ＢＳＳ）、拡張サービスセット（ＥＳＳ）、または何らかの他の適した専門用語とも称されうる。ｅＮＢ１０６は、ＵＥ１０２にＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（たとえば、ＭＰ３プレイヤ）、カメラ、ゲーム機、タブレット、ウェアラブルデバイス、スマートウォッチ、または同様に機能する何れの他のデバイスも含む。ＵＥ１０２はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語とも当業者によって称されうる。
【００１４】
[0028]ｅＮＢ１０６は、ＥＰＣ１１０に接続されている。ＥＰＣ１１０は、モビリティ管理エンティティ（ＭＭＥ）１１２、ホーム加入者サーバ（ＨＳＳ）１２０、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンタ（ＢＭ−ＳＣ）１２６、およびパケットデータネットワーク（ＰＤＮ）ゲートウェイ１１８を含みうる。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通じて転送され、サービングゲートウェイ１１６は、それ自体がＰＤＮゲートウェイ１１８に接続されている。ＰＤＮゲートウェイ１１８は、ＵＥ  ＩＰアドレス割り振りと、ならびに他の機能を提供する。ＰＤＮゲートウェイ１１８およびＢＭ−ＳＣ１２６は、ＩＰサービス１２２に接続されている。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含みうる。ＢＭ−ＳＣ１２６は、ＭＢＭＳユーザサービスプロビジョニングおよび配信のための機能を提供しうる。ＢＭ−ＳＣ１２６は、コンテンツプロバイダＭＢＭＳ送信のためのエントリポイントとして役目をし得、地上波公共移動通信ネットワーク（ＰＬＭＮ）内でＭＢＭＳベアラサービスを認可および開始するために使用され得、ＭＢＭＳ送信をスケジューリングおよび配信するために使用されうる。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを分配するために使用され得、セッション管理（スタート／停止）およびｅＭＢＭＳ関連課金情報を収集することを担いうる。
【００１５】
[0029]図２は、ＬＴＥネットワークアーキテクチャにおけるアクセスネットワーク２００の例を例示する図である。この例では、アクセスネットワーク２００が、多数のセルラ領域（セル）２０２に分割されている。１つまたは複数のより低い電力クラスのｅＮＢ２０８は、セル２０２のうちの１つまたは複数と重複するセルラ領域２１０を有しうる。より低い電力クラスｅＮＢ２０８は、フェムトセル（たとえば、ホームｅＮＢ（ＨｅＮＢ））、ピコセル、マイクロセル、または遠隔無線ヘッド（ＲＲＨ）でありうる。マクロｅＮＢ２０４は各々、それぞれのセル２０２に割り当てられ、セル２０２中のすべてのＵＥ２０６にＥＰＣ１１０へのアクセスポイントを提供するように構成される。アクセスネットワーク２００のこの例には集中型コントローラ（centralized controller）が存在しないが、代わりの構成では、集中型コントローラが使用されうる。ｅＮＢ２０４は、無線ベアラ制御、アドミッション制御、モビリティ制御、スケジューリング、セキュリティ、およびサービングゲートウェイ１１６への接続を含む、すべての無線関連機能を担う。ｅＮＢは、（セクタとも称される）１つまたは複数（たとえば、３つ）のセルをサポートしうる。「セル」という用語は、特定のカバレッジエリアにサービス提供するｅＮＢサブシステムおよび／またはｅＮＢの最小のカバレッジエリアを指しうる。さらに、「ｅＮＢ」、「基地局」、および「セル」という用語は、本明細書では交換可能に使用されうる。
【００１６】
[0030]アクセスネットワーク２００によって用いられる変調および多元接続スキームは、展開されている特定の電気通信規格に依存して異なりうる。ＬＴＥアプリケーションでは、周波数分割デュプレックス（ＦＤＤ）と時分割デュプレックス（ＴＤＤ）との両方をサポートするために、ＯＦＤＭがＤＬ上で使用され、ＳＣ−ＦＤＭＡがＵＬ上で使用される。以下に続く詳細な説明から当業者は容易に認識するように、本明細書で提示されている様々な概念はＬＴＥアプリケーションに十分に適している。しかしながら、これらの概念は、他の変調および多元接続技法を用いる他の電気通信規格に容易に拡張されうる。例として、これらの概念は、エボリューションデータオプティマイズド（ＥＶ−ＤＯ）またはウルトラモバイルブロードバンド（ＵＭＢ）に拡張されうる。ＥＶ−ＤＯおよびＵＭＢは、ＣＤＭＡ２０００規格ファミリの一部として、３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いる移動体通信のための全世界システム（ＧＳＭ（登録商標））、ＯＦＤＭＡを用いる、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体による文書において説明されている。ＣＤＭＡ２０００およびＵＭＢは、３ＧＰＰ２団体による文書において説明されている。用いられる実際のワイヤレス通信規格および多元接続技術は、システムに課せられた設計制約全体および具体的なアプリケーションに依存するだろう。
【００１７】
[0031]ｅＮＢ２０４は、ＭＩＭＯ技術をサポートする複数のアンテナを有しうる。ＭＩＭＯ技術の使用は、ｅＮＢ２０４が、空間多重化、ビームフォーミング、および送信ダイバーシティをサポートするために空間ドメインを活用することを可能とする。空間多重化は、同じ周波数上で同時にデータの異なるストリームを送信するために使用されうる。データストリームは、データレートを上げるために単一のＵＥ２０６に、またはシステム容量全体を増加させるために複数のＵＥ２０６に、送信されうる。これは、各データストリームを空間的にプリコーディングし（つまり、振幅および位相のスケーリングを適用し）、その後、各空間的にプリコーディングされたストリームを、ＤＬ上で複数の送信アンテナを通じて送信することによって実現される。空間的にプリコーディングされたデータストリームは、異なる空間シグネチャとともにＵＥ（複数を含む）２０６に到達し、このことにより、ＵＥ（複数を含む）２０６の各々は、そのＵＥ２０６に宛てられた１つまたは複数のデータストリームを復元することが可能になる。ＵＬ上では、各ＵＥ２０６が、空間的にプリコーディングされたデータストリームを送信し、このことにより、ｅＮＢ２０４が、各空間的にプリコーディングされたデータストリームのソースを識別することが可能になる。
【００１８】
[0032]空間多重化は一般に、チャネル状況が良好なときに使用される。チャネル状況がさほど好ましくないときには、ビームフォーミングが１つまたは複数の方向に送信エネルギーを集中させるために使用されうる。このことは、複数のアンテナを通じた送信のためにデータを空間的にプリコーディングすることによって実現されうる。セルの端で良好なカバレッジを実現するために、単一ストリームビームフォーミング送信が、送信ダイバーシティと組み合わせて使用されうる。
【００１９】
[0033]以下に続く詳細な説明では、アクセスネットワークの様々な態様が、ＤＬ上でＯＦＤＭをサポートするＭＩＭＯシステムを参照して説明される。ＯＦＤＭは、ＯＦＤＭシンボル内の多数のサブキャリアにわたってデータを変調する拡散スペクトル技法である。サブキャリアは、精確な周波数を置いて離れて間隔を空けられている（spaced apart）。間隔を空けることは、受信機がサブキャリアからデータを復元することを可能とする「直交性」を提供する。時間ドメインでは、ＯＦＤＭシンボル間干渉に対抗するために、各ＯＦＤＭシンボルにガードインターバル（たとえば、サイクリックプレフィックス）が追加されうる。ＵＬは、高いピーク対平均電力比（ＰＡＰＲ）を補償するために、ＤＦＴ拡散ＯＦＤＭ信号の形態でＳＣ−ＦＤＭＡを使用しうる。
【００２０】
[0034]図３は、ＬＴＥにおけるＤＬフレーム構造の例を例示する図３００である。フレーム（１０ｍｓ）は、１０個の等しいサイズのサブフレームに分割されうる。各サブフレームは、２つの連続するタイムスロットを含みうる。２つのタイムスロットを表すためにリソースグリッドが使用され得、各タイムスロットはリソースブロックを含む。リソースグリッドは、複数のリソース要素に分割される。ＬＴＥでは、通常のサイクリックプレフィックスについて、リソースブロックは、周波数ドメインにおいて１２個の連続するサブキャリアを、および時間ドメインにおいて７つの連続するＯＦＤＭシンボルを含み、合計８４個のリソース要素になる（for total）。拡張されたサイクリックプレフィックスについて、リソースブロックは、周波数ドメインにおいて１２個の連続するサブキャリアを、および時間ドメインにおいて６つの連続するＯＦＤＭシンボルを含み、合計７２個のリソース要素になる。Ｒ３０２、３０４として示されているリソース要素のいくつかは、ＤＬ基準信号（ＤＬ−ＲＳ）を含む。ＤＬ−ＲＳは、セル固有のＲＳ（ＣＲＳ）（共通のＲＳとも時折呼ばれる）３０２、およびＵＥ固有のＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上で送信される。各リソース要素によって搬送されるビット数は、変調スキームに依存する。したがって、ＵＥが受信するリソースブロックが多いほど、および変調スキームが高度であるほど、ＵＥについてのデータレートは高くなる。
【００２１】
[0035]図４は、ＬＴＥにおけるＵＬフレーム構造の例を例示する図４００である。ＵＬのための利用可能なリソースブロックは、データセクションおよび制御セクションに区分されうる。制御セクションは、システム帯域幅の両端に形成され得、設定可能なサイズを有しうる。制御セクション中のリソースブロックは、制御情報の送信のためにＵＥに割り当てられうる。データセクションは、制御セクションに含まれないすべてのリソースブロックを含みうる。ＵＬフレーム構造は、結果としてデータセクションが隣接するサブキャリアを含むことになり、このことが、単一のＵＥにデータセクション中の隣接するサブキャリアのすべてを割り当てられることを可能にしうる。
【００２２】
[0036]ＵＥは、ｅＮＢに制御情報を送信するために、制御セクション中のリソースブロック４１０ａ、４１０ｂを割り当てられうる。ＵＥはまた、ｅＮＢにデータを送信するために、データセクション中のリソースブロック４２０ａ、４２０ｂを割り当てられうる。ＵＥは、制御セクション中の割り当てられたリソースブロック上で物理ＵＬ制御チャネル（ＰＵＣＣＨ）において制御情報を送信しうる。ＵＥは、データセクション中の割り当てられたリソースブロック上で物理ＵＬ共有チャネル（ＰＵＳＣＨ）において、データ、またはデータと制御情報との両方を送信しうる。ＵＬ送信は、サブフレームの両方のスロットにまたがり得、周波数間をホッピングしうる（hop across frequency）。
【００２３】
[0037]リソースブロックのセットは、物理ランダムアクセスチャネル（ＰＲＡＣＨ）４３０において、初期システムアクセスを実行し、ＵＬ同期を実現するために使用されうる。ＰＲＡＣＨ４３０は、ランダムシーケンスを搬送し、何れのＵＬデータ／シグナリングも搬送することはできない。各ランダムアクセスプリアンブルは、６つの連続するリソースブロックに対応する帯域幅を占有する。開始周波数（starting frequency）は、ネットワークによって指定される。すなわち、ランダムアクセスプリアンブルの送信は、ある特定の時間および周波数リソースに制限される。ＰＲＡＣＨには周波数ホッピングがない。ＰＲＡＣＨの試みは、単一のサブフレーム（１ｍｓ）において、またはわずか少数の隣接するサブフレームのシーケンスにおいて搬送され、ＵＥは、フレーム（１０ｍｓ）毎に単一のＰＲＡＣＨの試みを行いうる。
【００２４】
[0038]図５は、ＬＴＥにおけるユーザおよび制御プレーンのための無線プロトコルアーキテクチャの例を例示する図５００である。ＵＥおよびｅＮＢのための無線プロトコルアーキテクチャが、３つのレイヤ：レイヤ１、レイヤ２、およびレイヤ３で図示されている。レイヤ１（Ｌ１レイヤ）は最下位レイヤであり、様々な物理レイヤ信号処理機能を実装する。Ｌ１レイヤは、本明細書では物理レイヤ５０６と称される。レイヤ２（Ｌ２レイヤ）５０８は、物理レイヤ５０６よりも上にあり、物理レイヤ５０６を介したＵＥとｅＮＢとの間のリンクを担う。
【００２５】
[0039]ユーザプレーンでは、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅＮＢで終端とされる。図示されていないけれども、ＵＥは、ネットワーク側のＰＤＮゲートウェイ１１８で終端とされるネットワークレイヤ（たとえば、ＩＰレイヤ）、および接続のもう一方の端（たとえば、遠端の（far end）ＵＥ、サーバ等）で終端とされるアプリケーションレイヤを含む、Ｌ２レイヤ５０８より上のいくつかの上位レイヤを有しうる。
【００２６】
[0040]ＰＤＣＰサブレイヤ５１４は、異なる無線ベアラと論理チャネルとの間での多重化を提供する。ＰＤＣＰサブレイヤ５１４はまた、無線送信のオーバヘッドを低減するための上位レイヤデータパケットについてのヘッダ圧縮、データパケットを暗号化することによるセキュリティ、ｅＮＢ間でのＵＥについてのハンドオーバサポートを提供する。ＲＬＣサブレイヤ５１２は、上位レイヤデータパケットのセグメント化およびリアセンブリ（reassembly）、損失データパケットの再送信、ハイブリッド自動再送要求（ＨＡＲＱ）に起因した順序の狂った受信を補償するためのデータパケットの並べ替えを提供する。ＭＡＣサブレイヤ５１０は、論理チャネルとトランスポートチャネルとの間での多重化を提供する。ＭＡＣサブレイヤ５１０はまた、ＵＥ間で１つのセルにおける様々な無線リソース（たとえば、リソースブロック）を割り振ることも担う。ＭＡＣサブレイヤ５１０はまた、ＨＡＲＱオペレーションも担う。
【００２７】
[0041]制御プレーンにおいて、ＵＥおよびｅＮＢのための無線プロトコルアーキテクチャは、制御プレーンではヘッダ圧縮機能がないという点を除き、物理レイヤ５０６およびＬ２レイヤ５０８について実質的に同じである。制御プレーンはまた、レイヤ３（Ｌ３レイヤ）において無線リソース制御（ＲＲＣ）サブレイヤ５１６を含む。ＲＲＣサブレイヤ５１６は、無線リソース（たとえば、無線ベアラ）を取得すること、およびｅＮＢとＵＥとの間でのＲＲＣシグナリングを使用してより下位のレイヤを構成することを担う。
【００２８】
[0042]図６は、アクセスネットワークにおいてＵＥ６５０と通信状態にあるｅＮＢ６１０のブロック図である。ＤＬでは、コアネットワークからの上位レイヤパケットが、コントローラ／プロセッサ６７５に提供される。コントローラ／プロセッサ６７５は、Ｌ２レイヤの機能性を実行する。ＤＬにおいて、コントローラ／プロセッサ６７５は、様々な優先順位メトリックに基づく、ヘッダ圧縮、暗号化、パケットセグメント化および並び替え、論理チャネルとトランスポートチャネルとの間での多重化、ならびにＵＥ６５０への無線リソース割振りを提供する。コントローラ／プロセッサ６７５はまた、ＨＡＲＱオペレーション、損失パケットの再送信、およびＵＥ６５０へのシグナリングも担う。
【００２９】
[0043]送信（ＴＸ）プロセッサ６１６は、Ｌ１レイヤ（つまり、物理レイヤ）についての様々な信号処理機能を実装する。信号処理機能は、ＵＥ６５０における前方誤り訂正（ＦＥＣ）を容易にするためのコーディングおよびインターリーブ、ならびに様々な変調スキーム（たとえば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づく信号コンステレーションへのマッピングを含む。コーディングおよび変調されたシンボルはその後、並列なストリームに分けられる。各ストリームはその後、時間ドメインＯＦＤＭシンボルストリームを搬送する物理チャネルを作り出すために、ＯＦＤＭサブキャリアにマッピングされ、時間および／または周波数ドメインにおいて基準信号（たとえば、パイロット）と多重化され、その後、逆高速フーリエ変換（ＩＦＦＴ）を使用して互いに組み合わされる。ＯＦＤＭストリームは、複数の空間ストリームを作り出すために空間的にプリコーディングされる。チャネル推定器６７４からのチャネル推定値は、コーディングおよび変調スキームを決定するために、ならびに空間処理のために使用されうる。チャネル推定値は、ＵＥ６５０によって送信された基準信号および／またはチャネル状態フィードバックから導かれうる。各空間ストリームはその後、別個の送信機６１８ＴＸを介して異なるアンテナ６２０に提供されうる。各送信機６１８ＴＸは、送信のためにそれぞれの空間ストリームでＲＦキャリアを変調しうる。
【００３０】
[0044]ＵＥ６５０で、各受信機６５４ＲＸは、そのそれぞれのアンテナ６５２を通じて、信号を受信する。各受信機６５４ＲＸは、ＲＦキャリア上に変調された情報を復元し、受信（ＲＸ）プロセッサ６５６に情報を提供する。ＲＸプロセッサ６５６は、Ｌ１レイヤの様々な信号処理機能を実行する。ＲＸプロセッサ６５６は、ＵＥ６５０に宛てられた何れの空間ストリームも復元するために、情報に対して空間処理を実行しうる。複数の空間ストリームがＵＥ６５０に宛てられている場合、それらは、ＲＸプロセッサ６５６によって組み合わされて単一のＯＦＤＭシンボルストリームになりうる。ＲＸプロセッサ６５６はその後、高速フーリエ変換（ＦＦＴ）を使用して、ＯＦＤＭシンボルストリームを時間ドメインから周波数ドメインにコンバートする。周波数ドメイン信号は、ＯＦＤＭ信号のサブキャリア毎に別個のＯＦＤＭシンボルストリームを備える。各サブキャリア上のシンボル、および基準信号は、ｅＮＢ６１０によって送信された最も確からしい（most likely）信号コンステレーションポイントを決定することによって、復元および復調される。これらの軟判定は、チャネル推定器６５８によって計算されたチャネル推定値に基づきうる。軟判定はその後、物理チャネル上でｅＮＢ６１０によって元々送信されたデータおよび制御信号を復元するために、復号およびデインターリーブされる。データおよび制御信号はその後、コントローラ／プロセッサ６５９に提供される。
【００３１】
[0045]コントローラ／プロセッサ６５９は、Ｌ２レイヤを実行する。コントローラ／プロセッサ６５９は、プログラムコードおよびデータを記憶するメモリ６６０に関連付けられうる。メモリ６６０は、コンピュータ可読媒体と称されうる。ＵＬでは、コントローラ／プロセッサ６５９は、コアネットワークからの上位レイヤパケットを復元するために、トランスポートチャネルと論理チャネルとの間での逆多重化、パケットリアセンブリ、暗号解読（deciphering）、ヘッダ圧縮解除（decompression）、制御信号処理を提供する。上位レイヤパケットはその後、データシンク６６２に提供され、データシンク６６２は、Ｌ２レイヤより上のすべてのプロトコルレイヤを代表して行う（represents）。様々な制御信号もまた、Ｌ３処理のためにデータシンク６６２に提供されうる。コントローラ／プロセッサ６５９はまた、ＨＡＲＱオペレーションをサポートするための、肯定応答（ＡＣＫ）および／または否定応答（ＮＡＣＫ）プロトコルを使用する誤り検出も担う。
【００３２】
[0046]ＵＬでは、データソース６６７が、コントローラ／プロセッサ６５９に上位レイヤパケットを提供するために使用される。データソース６６７は、Ｌ２レイヤより上のすべてのプロトコルレイヤを代表して行う。ｅＮＢ６１０によるＤＬ送信に関係して説明された機能性と同様に、コントローラ／プロセッサ６５９は、ｅＮＢ６１０による無線リソース割振りに基づく、ヘッダ圧縮、暗号化、パケットセグメント化および並べ替え、および論理チャネルとトランスポートチャネルとの間の多重化を提供するによって、ユーザプレーンおよび制御プレーンについてのＬ２レイヤを実行する。コントローラ／プロセッサ６５９はまた、ＨＡＲＱオペレーション、損失パケットの再送信、およびｅＮＢ６１０へのシグナリングも担う。
【００３３】
[0047]ｅＮＢ６１０によって送信された基準信号またはフィードバックからチャネル推定器６５８によって導かれたチャネル推定値は、適切なコーディングおよび変調スキームを選択するために、および空間処理を容易にするために、ＴＸプロセッサ６６８によって使用されうる。ＴＸプロセッサ６６８によって生成された空間ストリームは、別個の送信機６５４ＴＸを介して異なるアンテナ６５２に提供されうる。各送信機６５４ＴＸは、送信のためにそれぞれの空間ストリームでＲＦキャリアを変調しうる。
【００３４】
[0048]ＵＬ送信は、ＵＥ６５０における受信機機能に関係して説明されたものと同様の方法で、ｅＮＢ６１０で処理される。各受信機６１８ＲＸは、そのそれぞれのアンテナ６２０を通じて信号を受信する。各受信機６１８ＲＸは、ＲＦキャリア上に変調された情報を復元し、情報をＲＸプロセッサ６７０に提供する。ＲＸプロセッサ６７０は、Ｌ１レイヤを実行しうる。
【００３５】
[0049]コントローラ／プロセッサ６７５は、Ｌ２レイヤを実行する。コントローラ／プロセッサ６７５は、プログラムコードおよびデータを記憶するメモリ６７６に関連付けられうる。メモリ６７６は、コンピュータ可読媒体と称されうる。ＵＬでは、コントローラ／プロセッサ６７５は、ＵＥ６５０からの上位レイヤパケットを復元するために、トランスポートチャネルと論理チャネルとの間の逆多重化、パケットリアセンブリ、暗号解読、ヘッダ圧縮解除、制御信号処理を提供する。コントローラ／プロセッサ６７５からの上位レイヤパケットは、コアネットワークに提供されうる。コントローラ／プロセッサ６７５はまた、ＨＡＲＱオペレーションをサポートするための、ＡＣＫおよび／またはＮＡＣＫプロトコルを使用する誤り検出も担う。
【００３６】
[0050]図７は、デバイス対デバイス（Ｄ２Ｄ）通信システム７００の図である。デバイス対デバイス通信システム７００は、複数のワイヤレスデバイス７０４、７０６、７０８、７１０を含む。デバイス対デバイス通信システム７００は、たとえばワイヤレスワイドエリアネットワーク（ＷＷＡＮ）のようなセルラ通信システムと重複しうる。ワイヤレスデバイス７０４、７０６、７０８、７１０のうちのいくつかは、ＤＬ／ＵＬ  ＷＷＡＮスペクトルを使用してデバイス対デバイス通信において互いに（together）通信し得、いくつかは基地局７０２と通信し得、いくつかはその両方を行いうる。たとえば、図７で図示されているように、ワイヤレスデバイス７０８、７１０がデバイス対デバイス通信状態にあり、ワイヤレスデバイス７０４、７０６がデバイス対デバイス通信状態にある。ワイヤレスデバイス７０４、７０６はまた、基地局７０２とも通信している。
【００３７】
[0051]以下に論じられる実例的な方法および装置は、たとえば、ＩＥＥＥ８０２．１１規格に基づくＷｉ−Ｆｉ、ＺｉｇＢｅｅ、Ｂｌｕｅｔｏｏｔｈ（登録商標）、ＷｉＭｅｄｉａ、またはＦｌａｓｈＬｉｎＱに基づいたワイヤレスデバイス対デバイス通信システムのような、様々なワイヤレスデバイス対デバイス通信システムの何れにも適用可能である。議論を簡略化するために、実例的な方法および装置は、ＬＴＥのコンテキスト内で論じられる。しかしながら、当業者は、実例的な方法および装置が、様々な他のワイヤレスデバイス対デバイス通信システムに、より一般に適用可能であると理解するだろう。
【００３８】
[0052]近接サービス（ＰｒｏＳｅ）は、モバイルデバイスの加入者に対する近接関連性をもつ情報を与える。近接サービスは、たとえば、クーポンが引き換えられうる店を通過する加入者にこれらのクーポンを配信するために広告ポイントによって使用されうる。別の使用ケースでは、近接サービスは、加入者に、彼らの友達または家族メンバのうちの一人のロケーションに（知らないうちに）近づくとアラートを出す（alert）友達発見アプリケーション（friend-finder applications）によって利用される。
【００３９】
[0053]近接サービスは、たとえば、ＬＴＥ−Ｄｉｒｅｃｔ（ＬＴＥ−Ｄ）に基づくデバイス対デバイス通信システムによってサポートされるようなデバイス対デバイス発見メカニズムを介して実現されうる。そのようなメカニズムは、ピアデバイスによって送信された発見メッセージを受信するためにモバイルデバイスによって使用されるワイヤレスリソースを提供する。ワイヤレス信号の限界のある伝搬に起因して、そのようなＤ２Ｄ発見メッセージは、本質的にレンジが限定されており、これにより、検出の際に近接のエクスペリエンスを伝える。
【００４０】
[0054]発見レンジは本質的に、ワイヤレス信号伝搬環境および参加しているデバイスの電力レベルによって決定されるが、所望の近接レンジは、それに取って代わる（superseding）アプリケーションによって定義され、それは、発見レンジとは著しく異なりうる。ワイヤレス信号伝搬が高密度のインフラに起因して限定される都会環境では特に、発見レンジは、多くの近接サービスにとって小さすぎることがある。
【００４１】
[0055]発見レンジと所望の近接レンジとの間のこの不釣り合いに対処する１つの方法は、発見メッセージが、発見側デバイス（つまり、発見メッセージを受信するデバイス）によって再ブロードキャスト（中継）され、それにより２以上のホップに沿って伝搬することを可能にすることである。そのようなマルチホップ発見は、発見レンジを著しく拡大することを可能にする一方で、そのようなマルチホップ発見は、以下の不利益を被る（come at）：１）それは、再ブロードキャストに起因したバッテリ消費（battery drainage）を増加させる、２）それは、干渉を増加させ、それにより、マルチホップ発見と並行して動作する単一ホップ発見イベントに悪影響を及ぼす、３）それは、半二重制約に起因した再ブロードキャスト側デバイスにとっての発見機会を減少させる（たとえば、再ブロードキャスト側デバイスは、メッセージを再ブロードキャストしながらピアを発見できない）。
【００４２】
[0056]マルチホップ発見のこれらの問題に対処するために、一構成では、ネットワークベース制御／規制メカニズムが、発見メッセージの中継（または再ブロードキャスト）のために導入される。そのようなネットワークベース制御メカニズムはまた、ホップの最大数を調整することを可能にし、それにより、サービス毎の方法で発見レンジを調整する。
【００４３】
[0057]図８は、デバイス対デバイス通信システム８００におけるデバイス対デバイス発見メッセージの中継のためのネットワークベース制御メカニズムを使用する例を例示する図である。Ｄ２Ｄ通信システム８００は、いくつかのワイヤレスデバイス８０４、８０６、８０８、８１０、および基地局またはアクセスポイント８０２を含む。ワイヤレスデバイス８０４、８０６、８０８、８１０のうちのいくつかは、ＤＬ／ＵＬ  ＷＷＡＮスペクトルを使用してデバイス対デバイス通信において互いに通信し得、それらのいくつかは基地局８０２と通信し得、いくつかはその両方を行いうる。たとえば、図８で図示されているように、ワイヤレスデバイス８０４、８０６がデバイス対デバイス通信状態にあり、ワイヤレスデバイス８０４がワイヤレスデバイス８０８および８１０とデバイス対デバイス通信状態にある。ワイヤレスデバイス８０４はまた、基地局８０２とも通信している。
【００４４】
[0058]一構成では、ワイヤレスデバイス８０４は、基地局８０２から、再ブロードキャストのための発見メッセージのフィルタリングおよび処理に関するネットワークベースポリシー８２０を受信する。ネットワークベースポリシー８２０は、ワイヤレスインターフェースを通じて受信されうる。ワイヤレスインターフェースは、基地局またはアクセスポイント８０２からのダウンリンクを指しうる。基地局８０２は、発見メッセージの中継のためのネットワークベースポリシー８２０を直接提供するセルラネットワークに付随しうる。ワイヤレスデバイス８０４もまた、基地局またはアクセスポイント８０２へのワイヤレスリンクを使用してネットワークベースポリシー８２０を検索するために、サーバ（図示せず）に接続しうる。サーバは、たとえば、ＬＴＥにおける近接サービス機能を指しうる。ワイヤレスデバイス８０４は、ネットワークベースポリシー８２０に関連するすべての情報をキャッシュする。
【００４５】
[0059]ワイヤレスデバイス８０６からのＤ２Ｄチャネル上での発見メッセージ８２２の受信の際、ワイヤレスデバイス８０４は、（８２６で）ネットワークベースポリシー８２０に基づいて、発見メッセージ８２２にフィルタリングを適用する。発見メッセージ８２２がフィルタリングにパスする場合、ワイヤレスデバイス８０４は、（８２６で）ネットワークベースポリシー８２０に基づいて、発見メッセージ８２２を処理する。処理された発見メッセージ８２４はその後、Ｄ２Ｄチャネル上でワイヤレスデバイス８０８および８１０に再ブロードキャストまたは中継される。
【００４６】
[0060]図９は、発見メッセージの中継または再ブロードキャストのためのネットワークベース制御メカニズムの例を例示する図９００である。一構成では、ネットワークベース制御メカニズムのこの例は、図８を参照して上で説明されたＤ２Ｄ通信システム８００において使用されうる。この例では、ワイヤレスデバイス９０２は、発見メッセージ９２０を受信する。ワイヤレスデバイス９０２は、ネットワークベースポリシー情報９０４に基づいて、発見メッセージ９２０をフィルタおよび処理する。ワイヤレスデバイス９０２は、処理された発見メッセージ９３０を近くのワイヤレスデバイスに再ブロードキャスト（中継）する。一構成では、ワイヤレスデバイス９０２およびそのピアの各々は、ＵＥ（たとえば、ＵＥ１０２、２０６、ワイヤレスデバイス８０４、または装置１４０２／１４０２’）でありうる。一構成では、デバイス９０２は、図８を参照して上で説明されたワイヤレスデバイス８０４でありうる。
【００４７】
[0061]一構成では、デバイス９０２は、（９０６で）ネットワークからワイヤレスインターフェースを介して、発見メッセージの中継（再ブロードキャスト）のためのフィルタリング条件およびメッセージ処理規制を定義するポリシー情報９０４を受信する。一構成では、ポリシー情報９０４は、図８を参照して上で説明されたネットワークベースポリシー８２０でありうる。デバイス９０２は、（９０８で）受信されたポリシー情報９０４を処理して、発見メッセージの中継（再ブロードキャスト）のためのフィルタ条件９１０およびメッセージ処理規制９１２を取得する。デバイス９０２は、フィルタ条件９１０、ならびにメッセージ処理規制９１２を適切なフォーマットに、たとえば表に、キャッシュする。
【００４８】
[0062]Ｄ２Ｄチャネル上での発見メッセージ９２０の（９２２における）受信の際、デバイス９０２は、キャッシュされているフィルタリング規則／条件９１０を（９２４で）適用することによって、発見メッセージ９２０が再ブロードキャストを行われるべき（due for）かどうかを決めるフィルタ機能を適用する。一構成では、発見メッセージ９２０は、図８を参照して上で説明された発見メッセージ８２２でありうる。発見メッセージ９２０がフィルタリングにパスするケースでは、デバイス９０２は、（９２６で）キャッシュされている対応するメッセージ処理規制９１２に基づいて、発見メッセージ９２０を処理し、このことは、発見メッセージ９２０のコンテンツを潜在的に変更する。デバイス９０２は、（９２８で）処理された発見メッセージ９３０をＤ２Ｄチャネル上で送信する。一構成では、発見メッセージ９３０は、図８を参照して上で説明された発見メッセージ８２４でありうる。
【００４９】
[0063]一構成では、ワイヤレスインターフェースは、基地局またはアクセスポイント（たとえば、図８を参照して上で説明された基地局またはアクセスポイント８０２）からのダウンリンクを指しうる。基地局は、発見メッセージの中継のためのポリシー情報９０４を直接提供するセルラネットワークに付随しうる。デバイス９０２もまた、基地局またはアクセスポイント（たとえば、８０２）へのワイヤレスリンクを使用してポリシー情報９０４を検索するために、サーバに接続しうる。サーバは、ＬＴＥにおける近接サービス機能を指しうる。
【００５０】
[0064]一構成では、デバイス９０２は、近接サービス、または近接サービスに使用されるエアインターフェースリソースをサポートするネットワークに関連付く、登録する、またはそのネットワークを認証するときに、ポリシー情報９０４を取得しうる。一構成では、デバイス９０２は、周期的に、たとえば、ある特定の時間期間の後、新しいセルに入ったとき、他の理由でネットワークに接続するとき、ポリシー情報９０４を検索しうる。
【００５１】
[0065]一構成では、Ｄ２Ｄチャネルは、ワイヤレスデバイス間の発見メッセージの交換を許可するワイヤレスプロトコルを指しうる。そのようなＤ２Ｄチャネルは、たとえば、ＬＴＥ−Ｄ、ニアミーエリアネットワーク（ＮＡＮ）、ソーシャルＷｉＦｉ、ｉビーコン、８０２．１１アドホックモードのような技術によって提供されうる。一構成では、Ｄ２Ｄチャネルは、他のワイヤレスサービスと、スペクトルのようなワイヤレスリソースを共有しうる。たとえば、ＬＴＥ−ＤｉｒｅｃｔまたはＷｉＦｉ−Ｄｉｒｅｃｔに基づくＤ２Ｄチャネルは、他のワイヤレスサービスとワイヤレスリソースを共有しうる。一構成では、Ｄ２Ｄ発見は、専用のワイヤレスリソースを使用しうる。
【００５２】
[0066]一構成では、９２４におけるメッセージフィルタリングは、信号強度、信号対干渉プラス雑音比（ＳＩＮＲ）、または信号対雑音比（ＳＮＲ）、雑音上昇（noise rise）、発見メッセージ９２０の受信中に発生する干渉のような、ＲＦ特性に基づきうる。一構成では、９２４におけるメッセージフィルタリングは、発見メッセージ９２０の受信前のある特定の時間フレーム内に復号されたメッセージの数のようなＭＡＣ関連特性を指しうる。一構成では、９２４におけるメッセージフィルタリングは、明示的再ブロードキャストリクエストフラグまたはマルチホップカウント値のような、発見メッセージ９２０に含まれる特定のコンテンツを指しうる。一構成では、９２４におけるメッセージフィルタリングは、発見メッセージ９２０に含まれるメッセージ認証コードに基づくメッセージ認証のアビリティを指しうる。
【００５３】
[0067]一構成では、キャッシュされているフィルタ条件９１０は、１つまたは複数のしきい値を含み得、それらの各々は、以下の最小値または最大値に関連しうる：
・発見メッセージ９２０の受信信号強度またはＳＩＮＲ、
・時間インターバル内に再ブロードキャストされるべき発見メッセージ、
・再ブロードキャストに使用される発見期間、
・再ブロードキャストに必要とされる電力の量、
・発見メッセージ９２０の受信中に観測される雑音上昇、
・発見メッセージ９２０の受信前のある時間期間内に発見および復号されたメッセージ
・ある特定の時間期間内に開始または再ブロードキャストされた発見メッセージ、
・発見メッセージ９２０に含まれるあるロケーションに対するレンジ、
・受信された発見メッセージ９２０中の制御フィールドに含まれる値（たとえば、ホップカウント）。
【００５４】
[0068]一構成では、キャッシュされているフィルタ条件９１０は、受信された発見メッセージのコンテンツ（たとえば、メッセージ中の制御プレーンフラグ、ホップカウント、グループアドレス、またはサービス識別子）に適用されるマッチングオペレーションのための基準コードを保持しうる。一構成では、キャッシュされているフィルタ条件９１０は、フィールドネーム指示子または基準コードに対するマスクを保持しうる。一構成では、キャッシュされているフィルタ条件９１０は、発見されたある特定のメッセージの認証、解読（decryption）、および認可についての要件を保持しうる。一構成では、キャッシュされているフィルタ条件９１０は、認証プロシージャのためのキー材料を保持しうる。
【００５５】
[0069]フィルタ条件のタイプに基づいて、デバイス９０２は、９２４でフィルタ機能を適用する前に発見メッセージ９２０を復号しなければならないかもしれないし、復号する必要がないかもしれない。たとえば、ある特定の発見メッセージが十分でない信号強度で受信される場合、これらの発見メッセージを再ブロードキャストから除外することが可能でありうる。
【００５６】
[0070]一構成では、９２６におけるメッセージ処理は、発見メッセージ９２０中の制御フィールドを変化させること、たとえば、再ブロードキャストフラグを設定すること、またはホップカウントをインクリメントすること、を含みうる。一構成では、９２６におけるメッセージ処理は、発見メッセージ９２０中のインテグリティ保護フィールドを追加または上書きすることを含みうる。一構成では、９２６におけるメッセージ処理は、発見メッセージ９２０を暗号化することを含みうる。
【００５７】
[0071]一構成では、キャッシュされているメッセージ処理規制９１２は、発見メッセージ９２０に入れられるべき制御フィールド値を含みうる。一構成では、キャッシュされているメッセージ処理規制９１２は、インテグリティ保護または暗号化についてのキー情報を含みうる。一構成では、キャッシュされているメッセージ処理規制９１２は、グループまたは宛先アドレスを含みうる。
【００５８】
[0072]一構成では、処理された発見メッセージ９３０の（９２８における）送信は、近接サービスに使用されるＤ２Ｄチャネル上で生じる。発見メッセージ９３０の送信のためのＤ２Ｄチャネルは、発見メッセージ９２０が受信されたのと同じ、または異なるＤ２Ｄチャネルでありうる。一構成では、発見メッセージ９３０は、複数のＤ２Ｄチャネル上での送信について同時にスケジューリングされうる。
【００５９】
[0073]図１０は、ワイヤレス通信の方法のフローチャート１０００である。特に、この図は、発見メッセージの中継または再ブロードキャストのためのネットワークベース制御メカニズムを利用する方法を例示している。方法は、ＵＥ（たとえば、ＵＥ１０２、２０６、デバイス８０４、９０２、または装置１４０２／１４０２’）によって実行されうる。１００２で、ＵＥは、発見メッセージのフィルタリングおよび処理に関する情報を含むポリシーを受信する。一構成では、受信されたポリシーは、図８を参照して上で説明されたネットワークベースポリシー８２０、または図９を参照して上で説明されたポリシー情報９０４でありうる。ポリシーは、ワイヤレスインターフェースを介して受信されうる。ワイヤレスインターフェースは、基地局またはアクセスポイント（たとえば、８０２）からのダウンリンクでありうる。一構成では、ポリシーは、ネットワークから、またはネットワークサーバから受信されうる。ネットワークサーバは、ＰｒｏＳｅサーバでありうる。一構成では、１００２で実行されるオペレーションは、図９の９０６を参照して上で説明されたオペレーションに対応しうる。
【００６０】
[0074]１００４で、ＵＥは、ポリシーに基づいて、フィルタリング規則のセットおよび処理規則のセットを決定する。一構成では、フィルタリング規則のセットは、図９を参照して上で説明されたフィルタ条件９１０であり得、処理規則のセットは、図９を参照して上で説明されたメッセージ処理規制９１２でありうる。一構成では、ＵＥは、フィルタリング規則のセットおよび処理規則のセットを決定するために、ポリシーを解析および／または復号しうる。一構成では、１００４で実行されるオペレーションは、図９の９０８を参照して上で説明されたオペレーションに対応しうる。
【００６１】
[0075]１００６で、ＵＥはオプションで、フィルタリング規則のセットおよび処理規則のセットを記憶しうる。一構成では、ＵＥは、フィルタリング規則のセットおよび処理規則のセットを適切なフォーマットに、たとえば表に、キャッシュしうる。
【００６２】
[0076]１００８で、ＵＥは、デバイス対デバイス通信チャネル上で発見メッセージを受信する。一構成では、発見メッセージは、図８を参照して上で説明された発見メッセージ８２２、または図９を参照して上で説明された発見メッセージ９２０でありうる。一構成では、デバイス対デバイス通信チャネルは、ワイヤレス通信チャネルでありうる。一構成では、１００８で実行されるオペレーションは、図９の９２２を参照して上で説明されたオペレーションに対応しうる。
【００６３】
[0077]１０１０で、ＵＥは、発見メッセージにフィルタリング規則のセットを適用する。一構成では、フィルタリング規則のセットは、発見メッセージの受信から導かれる信号強度、または発見メッセージの受信から導かれるＳＩＮＲを評価する１つまたは複数のフィルタリング規則を含みうる。一構成では、フィルタリング規則のセットは、発見メッセージが再ブロードキャストされる時間インターバル、再ブロードキャストに使用される発見期間、再ブロードキャストに必要とされる電力の量、メッセージ受信中に観測される雑音上昇、発見メッセージの受信の前のある時間期間内に発見および復号された複数の発見メッセージ、発見メッセージに含まれるあるロケーションに対するレンジ、発見メッセージ中の制御フィールドに含まれる値、発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価しうる。
【００６４】
[0078]一構成では、フィルタリング規則のセットは、発見メッセージが再ブロードキャストを行われるべきかどうかを決定する。そのような構成では、発見メッセージが再ブロードキャストを行われるべきとフィルタリング規則のセットが決定したときに、発見メッセージは、フィルタリング規則のセットにパスする。たとえば、フィルタリング規則のセットは最小信号強度を含みうる。ＵＥは、発見メッセージの受信から導かれた信号強度を、最小信号強度と比較し、発見メッセージの受信から導かれた信号強度が最小信号強度以上であるときに、発見メッセージがフィルタリング規則のセットにパスすると決定しうる。一構成では、１０１０で実行されるオペレーションは、図９の９２４を参照して上で説明されたオペレーションに対応しうる。
【００６５】
[0079]１０１２で、ＵＥは、発見メッセージが、１０１０で実行されたフィルタリングにパスしたかどうかを決定する。一構成では、発見メッセージがフィルタリング規則のセットによって課される条件を満たすとＵＥが決定するときに、発見メッセージはフィルタリングにパスする。発見メッセージがフィルタリングにパスした場合、方法は１０１４に進む。発見メッセージがフィルタリングにパスしなかった場合、方法は終了する。
【００６６】
[0080]１０１４で、ＵＥは、発見メッセージに処理規則のセットを適用する。一構成では、処理規則のセットは、発見メッセージ中の制御フィールドを変化させること、発見メッセージ中のインテグリティ保護フィールドを追加または上書きすること、または発見メッセージを暗号化すること、のうちの１つまたは複数を含みうる。一構成では、１０１４で実行されるオペレーションは、図９の９２６を参照して上で説明されたオペレーションに対応しうる。
【００６７】
[0081]１０１６で、ＵＥは、処理された発見メッセージをＤ２Ｄ通信チャネル上で再ブロードキャストする。一構成では、処理された発見メッセージは、図８を参照して上で説明された発見メッセージ８２４、または図９を参照して上で説明された発見メッセージ９３０でありうる。一構成では、プロセス発見メッセージを再ブロードキャストするためのＤ２Ｄ通信チャネルは、１００８で発見メッセージを受信するためのと同じＤ２Ｄ通信チャネル、または異なるＤ２Ｄ通信チャネルでありうる。一構成では、１０１６で実行されるオペレーションは、図９の９２８を参照して上で説明されたオペレーションに対応しうる。
【００６８】
[0082]図１１は、デバイス対デバイス通信システム１１００におけるデバイス対デバイス発見メッセージの中継のためのネットワークベース制御メカニズムの例を例示する図である。Ｄ２Ｄ通信システム１１００は、いくつかのワイヤレスデバイス１１０４、１１０６、１１０８、１１１０、および基地局またはアクセスポイント１１０２を含む。ワイヤレスデバイス１１０４、１１０６、１１０８、１１１０のうちのいくつかは、ＤＬ／ＵＬ  ＷＷＡＮスペクトルを使用してデバイス対デバイス通信において互いに通信し得、それらのいくつかは基地局１１０２と通信し得、いくつかはその両方を行いうる。たとえば、図１１で図示されているように、ワイヤレスデバイス１１０４、１１０６がデバイス対デバイス通信状態にあり、ワイヤレスデバイス１１０４は、ワイヤレスデバイス１１０８および１１１０とデバイス対デバイス通信状態にある。ワイヤレスデバイス１１０４はまた、基地局１１０２とも通信している。
【００６９】
[0083]一構成では、ワイヤレスデバイス１１０４は、発見メッセージ１１２２の受信の際、基地局１１０２を通じてネットワークに接触する。ワイヤレスデバイス１１０４は、受信された発見メッセージ１１２２からメッセージ情報１１２６を抽出し得、メッセージ情報１１２６を基地局１１０２に送信する。ネットワークは、基地局またはアクセスポイント１１０２を通じてワイヤレスデバイス１１０４に接続されているセルラネットワークまたはサーバでありうる。ネットワークは、メッセージ情報１１２６に基づいて、再ブロードキャスト命令１１２０を生成しうる。ワイヤレスデバイス１１０４は、基地局またはアクセスポイント１１０２から、発見メッセージ１１２２の再ブロードキャストに関する再ブロードキャスト命令１１２０を取得する。ワイヤレスデバイス１１０４は、（１１２８で）取得された再ブロードキャスト命令１１２０に基づいて、発見メッセージ１１２２を処理して、発見メッセージ１１２４を生成する。ワイヤレスデバイス１１０４は、再ブロードキャスト命令１１２０に基づいて、発見メッセージ１１２４をワイヤレスデバイス１１０８および１１１０に再ブロードキャストする。
【００７０】
[0084]図１２は、発見メッセージの中継または再ブロードキャストのためのネットワークベース制御メカニズムの例を例示する図１２００である。一構成では、ネットワークベース制御メカニズムのこの例は、図１１を参照して上で説明されたＤ２Ｄ通信システム１１００において使用されうる。この例では、ワイヤレスデバイス１２０２は、発見メッセージ１２０４を受信する。ワイヤレスデバイス１２０２は、発見メッセージ１２０４の受信の際にネットワークに接触し、発見メッセージ１２０４の再ブロードキャストに関する再ブロードキャスト命令１２１６を取得する。一構成では、ワイヤレスデバイス１２０２およびそのピアの各々は、ＵＥ（たとえば、ＵＥ１０２、２０６、ワイヤレスデバイス１１０４、または装置１４０２／１４０２’）でありうる。一構成では、デバイス１２０２は、図１１を参照して上で説明されたワイヤレスデバイス１１０４でありうる。
【００７１】
[0085]一構成では、デバイス１２０２は、（１２０６で）Ｄ２Ｄチャネル上で発見メッセージ１２０４を受信および復号する。デバイス１２０２は、（１２０８で）発見メッセージ１２０４の再ブロードキャストに関する命令がネットワークから取得されなければならないかどうかを決めるフィルタ機能を適用しうる。一構成では、このフィルタ機能は、図８を参照して上で説明されたネットワークベースポリシー８２０、または図９を参照して上で説明されたポリシー情報９０４に基づきうる。一構成では、フィルタ規則は、デバイス１２０２上で構成またはハードコーディングされうる。一構成では、フィルタ条件は、図９を参照して上で説明されたフィルタ条件９１０でありうる。
【００７２】
[0086]フィルタ機能の結果が、ネットワークベース再ブロードキャスト命令が要求されるというものである場合に備えて、デバイス１２０２は、（１２１０で）発見メッセージ１２０４から、ネットワークに必要とされるメッセージ情報１２１４を抽出する。一構成では、メッセージ情報１２１４は、発見メッセージ１２０４の一部、たとえば、メッセージの出所（message origin）、宛先、ホップカウント、または再ブロードキャストリクエストフラグのような、ある特定の制御プレーンフィールドを含みうる。一構成では、メッセージ情報１２１４は、発見メッセージ１２０４のメッセージボディ全体を含みうる。一構成では、デバイス１２０２は、発見メッセージ１２０４の全体または一部をキャッシュしうる。
【００７３】
[0087]デバイス１２０２は、（１２１２で）、再ブロードキャスト命令をリクエストするために、抽出されたメッセージ情報１２１４をワイヤレスインターフェース上でネットワークに送る。ワイヤレスインターフェースは、基地局またはアクセスポイント（たとえば、１１０２）のアップリンクを指しうる。一構成では、基地局は、発見メッセージの中継に関する命令を直接提供するセルラネットワークに付随しうる。一構成では、デバイス１２０２は、サーバに接続し、基地局またはアクセスポイント（たとえば、１１０２）へのワイヤレスリンクを使用して、抽出されたメッセージ情報１２１４をサーバに送り出しうる。サーバは、たとえば、ＬＴＥにおける近接サービス機能を指しうる。
【００７４】
[0088]デバイス１２０２は、（１２１８で）、ワイヤレスエアインターフェースのダウンリンク上で、発見メッセージ１２０４の再ブロードキャストに関する再ブロードキャスト命令１２１６を受信する。このワイヤレスエアインターフェースは、再ブロードキャスト命令をリクエストするために使用されるものと同じでありうるか、または異なるものでありうる。一構成では、再ブロードキャスト命令１２１６は、再ブロードキャスト命令をリクエストするためのと同じリンク上で、同じ接続中または同じセッションにおいて、受信されうる。別の構成では、ネットワークおよびデバイス１２０２は、再ブロードキャスト命令をリクエストするため、および再ブロードキャスト命令で応答するために、異なるリンク、接続、またはセッションを開始しうる。
【００７５】
[0089]ネットワークによる再ブロードキャスト命令１２１６は、発見メッセージ１２０４のボディの変更、またはキャッシュされている発見メッセージ１２０４上の変化させられるべきある特定のフィールドに関する情報を含みうる。そのような変化は、ホップカウント、再ブロードキャストフラグ、または認証フィールドのうちの１つまたは複数を含みうる。再ブロードキャスト命令１２１６は、変化を直接提供しうるか、またはこれらの変化を計算するためにデバイス１２０２に情報を提供しうる。一構成では、再ブロードキャスト命令１２１６は、デバイス１２０２によって再ブロードキャストされるべき発見メッセージ全体を含みうる。
【００７６】
[0090]デバイス１２０２は、（１２２０で）再ブロードキャスト命令１２１６に基づいて変化を適用する。一構成では、デバイス１２０２は、（１２２０で）図９を参照して上で説明されたメッセージ処理規制９１２および９２６で実行されたオペレーションのような、さらなる処理ステップを適用しうる。１２２０におけるメッセージ処理後、デバイス１２０２は、（１２２２で）処理された発見メッセージ１２２４をワイヤレスＤ２Ｄチャネル上で送信する。
【００７７】
[0091]一構成では、Ｄ２Ｄチャネルは、ワイヤレスデバイス間の発見メッセージの交換を許可するワイヤレスプロトコルを指しうる。そのようなＤ２Ｄチャネルは、たとえば、ＬＴＥ−Ｄ、ニアミーエリアネットワーク（ＮＡＮ）、ソーシャルＷｉＦｉ、ｉビーコン、８０２．１１アドホックモードのような技術によって提供されうる。一構成では、Ｄ２Ｄチャネルは、他のワイヤレスサービスとスペクトルのようなワイヤレスリソースを共有しうる。たとえば、ＬＴＥ−ＤｉｒｅｃｔまたはＷｉＦｉ−Ｄｉｒｅｃｔに基づくＤ２Ｄチャネルは、他のワイヤレスサービスとワイヤレスリソースを共有しうる。一構成では、Ｄ２Ｄ発見は、専用のワイヤレスリソースを使用しうる。
【００７８】
[0092]一構成では、処理された発見メッセージ１２２４の（１２２２における）送信は、近接サービスに使用されるＤ２Ｄチャネル上で生じる。発見メッセージ１２２４の送信のためのＤ２Ｄチャネルは、発見メッセージ１２０４が受信されるのと同じ、または異なるＤ２Ｄチャネルでありうる。一構成では、発見メッセージ１２２４は、複数のＤ２Ｄチャネル上での送信について同時にスケジューリングされうる。
【００７９】
[0093]図１３は、ワイヤレス通信の方法のフローチャート１３００である。特に、この図は、発見メッセージの中継または再ブロードキャストのためのネットワークベース制御メカニズムを利用する方法を例示する。方法は、ＵＥ（たとえば、ＵＥ１０２、２０６、デバイス１１０４、１２０２、または装置１４０２／１４０２’）によって実行されうる。１３０２で、ＵＥは、デバイス対デバイス通信チャネル上で発見メッセージを受信する。一構成では、発見メッセージは、図１１を参照して上で説明された発見メッセージ１１２２、または図１２を参照して上で説明された発見メッセージ１２０４でありうる。一構成では、デバイス対デバイス通信チャネルは、ワイヤレス通信チャネルでありうる。一構成では、１３０２で実行されるオペレーションは、図１２の１２０６を参照して上で説明されたオペレーションに対応しうる。
【００８０】
[0094]１３０４で、ＵＥは、発見メッセージの再ブロードキャストに関する命令がネットワークから取得されることになるかどうかを決定するために、発見メッセージにフィルタ機能を適用する。たとえば、フィルタ機能は最小信号強度を含みうる。ＵＥは、発見メッセージの受信から導かれた信号強度を、最小信号強度と比較し、発見メッセージの受信から導かれた信号強度が最小信号強度以上であるときに、発見メッセージがフィルタ機能にパスすると決定しうる。一構成では、１３０４で実行されるオペレーションは、図１２の１２０８を参照して上で説明されたオペレーションに対応しうる。
【００８１】
[0095]１３０６で、ＵＥは、発見メッセージが、１３０４で実行されたフィルタリングにパスしたかどうかを決定する。一構成では、発見メッセージがフィルタ機能によって課される条件を満たすとＵＥが決定するときに、発見メッセージはフィルタリングにパスする。発見メッセージがフィルタリングにパスした場合、方法は１３０８に進む。発見メッセージがフィルタリングにパスしなかった場合、方法は終了する。
【００８２】
[0096]１３０８で、ＵＥは、発見メッセージからメッセージ情報を抽出する。一構成では、抽出されたメッセージ情報は、発見メッセージの少なくとも一部を含む。一構成では、抽出されたメッセージ情報は、図１１を参照して上で説明されたメッセージ情報１１２６、または図１２を参照して上で説明されたメッセージ情報１２１４でありうる。一構成では、１３０８で実行されるオペレーションは、図１２の１２１０を参照して上で説明されたオペレーションに対応しうる。
【００８３】
[0097]１３１０で、ＵＥは、再ブロードキャスト命令をリクエストするために、抽出されたメッセージ情報をネットワークに送信する。一構成では、抽出されたメッセージ情報は、セルラネットワークまたはネットワークサーバに送信されうる。一構成では、１３１０で実行されるオペレーションは、図１２の１２１２を参照して上で説明されたオペレーションに対応しうる。
【００８４】
[0098]１３１２で、ＵＥは、ネットワークから、発見メッセージの再ブロードキャストに関する再ブロードキャスト命令を受信する。一構成では、再ブロードキャスト命令は、図１１を参照して上で説明された再ブロードキャスト命令１１２０、または図１２を参照して上で説明された再ブロードキャスト命令１２１６でありうる。一構成では、再ブロードキャスト命令は、発見メッセージの変更、または発見メッセージ上の変化させられるべきある特定のフィールドに関する情報を含みうる。一構成では、抽出されたメッセージ情報は、第１のワイヤレスインターフェースを介して送信され得、再ブロードキャスト命令は、第２のワイヤレスインターフェースを介して受信されうる。第２のワイヤレスインターフェースは、第１のワイヤレスインターフェースと同じワイヤレスインターフェース、または異なるワイヤレスインターフェースでありうる。一構成では、１３１２で実行されるオペレーションは、図１２の１２１８を参照して上で説明されたオペレーションに対応しうる。
【００８５】
[0099]１３１４で、ＵＥは、発見メッセージの再ブロードキャストに関する受信された命令に基づいて、発見メッセージを処理する。一構成では、１３１４で実行されるオペレーションは、図１２の１２２０を参照して上で説明されたオペレーションに対応しうる。
【００８６】
[00100]１３１６で、ＵＥは、処理された発見メッセージをＤ２Ｄ通信チャネル上で再ブロードキャストする。一構成では、処理された発見メッセージは、図１１を参照して上で説明された発見メッセージ１１２４、または図１２を参照して上で説明された発見メッセージ１２２４でありうる。一構成では、処理発見メッセージを再ブロードキャストするためのＤ２Ｄ通信チャネルは、１３０２における発見メッセージを受信するためのと同じＤ２Ｄ通信チャネル、または異なるＤ２Ｄ通信チャネルでありうる。一構成では、１３１６で実行されるオペレーションは、図１２の１２２２を参照して上で説明されたオペレーションに対応しうる。
【００８７】
[00101]図１４は、実例的な装置１４０２における異なる手段／コンポーネント間のデータフローを例示する概念上のデータフロー図１４００である。装置１４０２は、ＵＥ（たとえば、８０４、９０２、１１０４、または１２０２）でありうる。装置１４０２は、基地局またはアクセスポイント１４５０から、メッセージ再ブロードキャストポリシーまたは再ブロードキャスト命令を受信しうる受信コンポーネント１４０４を含む。受信コンポーネント１４０４はまた、ピアＵＥ１４５２から発見メッセージを受信しうる。一構成では、受信コンポーネント１４０４は、図９の９０６／９２２、図１０の１００２／１００８、図１２の１２０６／１２１８、または図１３の１３０２／１３１２を参照して上で説明されたオペレーションを実行しうる。
【００８８】
[00102]装置１４０２は、ピアＵＥ１４５４に発見メッセージを送信／再ブロードキャストする送信コンポーネント１４１０を含む。一構成では、送信コンポーネント１４１０は、基地局またはアクセスポイント１４５０にメッセージ情報を送信しうる。一構成では、送信コンポーネント１４１０は、図９の９２８、図１０の１０１６、図１２の１２１２／１２２２、または図１３の１３１０／１３１６を参照して上で説明されたオペレーションを実行しうる。一構成では、受信コンポーネント１４０４および送信コンポーネント１４１０は、装置１４０２のための通信を実行するために互いに連携する。
【００８９】
[00103]装置１４０２はオプションで、受信コンポーネント１４０４から再ブロードキャストポリシー情報を受信するポリシー処理コンポーネント１４０８を含みうる。ポリシー処理コンポーネント１４０８は、再ブロードキャストポリシー情報に基づいて、フィルタリング条件のセットおよび処理規制のセットを決定しうる。一構成では、ポリシー処理コンポーネント１４０８は、図９の９０８または図１０の１００４を参照して上で説明されたオペレーションを実行しうる。
【００９０】
[00104]装置１４０２は、受信コンポーネント１４０４から発見メッセージを受信するフィルタリングコンポーネント１４１２を含みうる。フィルタリングコンポーネント１４１２は、ポリシー処理コンポーネント１４０８からフィルタ条件のセットを受信しうる。一構成では、フィルタリングコンポーネント１４１２は、フィルタ条件のセットを発見メッセージに適用しうる。別の構成では、フィルタリングコンポーネント１４１２は、発見メッセージの再ブロードキャストに関する命令がネットワークから取得されることになるかどうかを決定するために、発見メッセージにフィルタ機能を適用しうる。一構成では、フィルタリングコンポーネント１４１２は、図９の９２４、図１０の１０１０、図１２の１２０８、または図１３の１３０４を参照して上で説明されたオペレーションを実行しうる。
【００９１】
[00105]装置１４０２は、フィルタリングされた発見メッセージをフィルタリングコンポーネント１４１２から受信しうるメッセージ処理コンポーネント１４１４を含みうる。一構成では、フィルタリングされた発見メッセージを受信する代わりに、メッセージ処理コンポーネント１４１４は、受信コンポーネント１４０４から再ブロードキャスト命令を受信しうる。メッセージ処理コンポーネント１４１４は、ポリシー処理コンポーネント１４０８から処理規制のセットを受信しうる。一構成では、メッセージ処理コンポーネント１４１４は、処理規制のセットをフィルタリングされた発見メッセージに適用しうる。別の構成では、メッセージ処理コンポーネント１４１４は、受信された再ブロードキャスト命令に基づいて、発見メッセージを処理しうる。メッセージ処理コンポーネント１４１４は、処理された発見メッセージを送信コンポーネント１４１０に提供しうる。一構成では、メッセージ処理コンポーネント１４１４は、図９の９２６、図１０の１０１４、図１２の１２２０、または図１３の１３１４を参照して上で説明されたオペレーションを実行しうる。
【００９２】
[00106]装置１４０２はオプションで、フィルタリングコンポーネント１４１２からフィルタリングされた発見メッセージを受信しうるメッセージ情報抽出コンポーネント１４０６を含みうる。メッセージ情報抽出コンポーネント１４０６は、発見メッセージからメッセージ情報を抽出し、メッセージ情報を送信コンポーネント１４１０に提供しうる。一構成では、メッセージ情報抽出コンポーネント１４０６は、図１０の１２１０または図１３の１３０８を参照して上で説明されたオペレーションを実行しうる。
【００９３】
[00107]装置１４０２は、図１０および図１３の前述のフローチャートにおけるアルゴリズムのブロックの各々を実行する追加のコンポーネントを含みうる。このように、図１０および図１３の上述のフローチャートにおける各ブロックは、あるコンポーネントによって実行され得、装置は、それらのコンポーネントのうちの１つまたは複数を含みうる。コンポーネントは、述べられたプロセス／アルゴリズムを実行するように特に構成される１つまたは複数のハードウェアコンポーネントでありうるか、述べられたプロセス／アルゴリズムを実行するように構成されたプロセッサによって実装されるか、プロセッサによる実装のためにコンピュータ可読媒体内に記憶されるか、またはそれらの何らかの組合せでありうる。
【００９４】
[00108]図１５は、処理システム１５１４を用いる装置１４０２’のためのハードウェア実装の例を例示する図１５００である。処理システム１５１４は、バス１５２４によって概して表されているバスアーキテクチャを用いて実装されうる。バス１５２４は、処理システム１５１４の具体的なアプリケーションおよび設計制約全体に依存して、あらゆる数の相互接続するバスおよびブリッジを含みうる。バス１５２４は、プロセッサ１５０４、コンポーネント１４０４、１４０６、１４０８、１４１０、１４１２、１４１４およびコンピュータ可読媒体／メモリ１５０６によって表されている１つまたは複数のプロセッサおよび／またはハードウェアコンポーネントを含む様々な回路を互いにリンクさせる。バス１５２４はまた、タイミングソース、周辺機器、電圧レギュレータ、および電力管理回路のような様々な他の回路もリンクさせ得、これらは、当該技術分野では周知であるので、これ以上は説明されない。
【００９５】
[00109]処理システム１５１４は、トランシーバ１５１０に結合されうる。トランシーバ１５１０は、１つまたは複数のアンテナ１５２０に結合されている。トランシーバ１５１０は、伝送媒体を介して様々な他の装置と通信するための手段を提供する。トランシーバ１５１０は、１つまたは複数のアンテナ１５２０から信号を受信し、受信された信号から情報を抽出し、抽出された情報を、処理システム１５１４、特に受信コンポーネント１４０４に提供する。加えて、トランシーバ１５１０は、処理システム１５１４、特に送信コンポーネント１４１０から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６上に記憶されたソフトウェアの実行を含む、一般的な処理を担う。ソフトウェアは、プロセッサ１５０４によって実行されるとき、処理システム１５１４に、あらゆる特定の装置について上記で説明された様々な機能を実行させる。コンピュータ可読媒体／メモリ１５０６はまた、ソフトウェアを実行するときにプロセッサ１５０４によって操作されるデータを記憶するために使用されうる。処理システム１５１４はさらに、コンポーネント１４０４、１４０６、１４０８、１４１０、１４１２、および１４１４のうちの少なくとも１つを含む。コンポーネントは、プロセッサ１５０４において動作し、コンピュータ可読媒体／メモリ１５０６に内在する／記憶されたソフトウェアコンポーネントか、プロセッサ１５０４に結合された１つまたは複数のハードウェアコンポーネントか、またはそれらの何らかの組合せでありうる。処理システム１５１４は、ＵＥ６５０のコンポーネントであり得、メモリ６６０、ならびに／あるいはＴＸプロセッサ６６８、ＲＸプロセッサ６５６、およびコントローラ／プロセッサ６５９のうちの少なくとも１つを含みうる。
【００９６】
[00110]一構成では、装置１４０２／１４０２’は、発見メッセージのフィルタリングおよび処理に関する情報を含むポリシーを受信するための手段を含みうる。一構成では、ポリシーを受信するための手段は、トランシーバ１５１０、１つまたは複数のアンテナ１５２０、受信コンポーネント１４０４、またはプロセッサ１５０４でありうる。一構成では、ポリシーを受信するための手段は、図９の９０６または図１０の１００２を参照して上で説明されたオペレーションを実行しうる。
【００９７】
[00111]一構成では、装置１４０２／１４０２’は、ポリシーに基づいて、フィルタリング規則のセットおよび処理規則のセットを決定するための手段を含みうる。一構成では、フィルタリング規則のセットおよび処理規則のセットを決定するための手段は、ポリシー処理コンポーネント１４０８またはプロセッサ１５０４でありうる。一構成では、フィルタリング規則のセットおよび処理規則のセットを決定するための手段は、図９の９０８または図１０の１００４を参照して上で説明されたオペレーションを実行しうる。
【００９８】
[00112]一構成では、装置１４０２／１４０２’は、デバイス対デバイス通信チャネル上で発見メッセージを受信するための手段を含みうる。一構成では、発見メッセージを受信するための手段は、トランシーバ１５１０、１つまたは複数のアンテナ１５２０、受信コンポーネント１４０４、またはプロセッサ１５０４でありうる。一構成では、発見メッセージを受信するための手段は、図９の９２２、図１０の１００８、図１２の１２０６、または図１３の１３０２を参照して上で説明されたオペレーションを実行しうる。
【００９９】
[00113]一構成では、装置１４０２／１４０２’は、発見メッセージにフィルタリング規則のセットを適用するための手段を含みうる。一構成では、フィルタリング規則のセットを適用するための手段は、フィルタリングコンポーネント１４１２またはプロセッサ１５０４でありうる。一構成では、フィルタリング規則のセットを適用するための手段は、図９の９２４または図１０の１０１０を参照して上で説明されたオペレーションを実行しうる。
【０１００】
[00114]一構成では、装置１４０２／１４０２’は、発見メッセージに処理規則のセットを適用するための手段を含みうる。一構成では、処理規則のセットを適用するための手段は、発見メッセージ中の制御フィールドを変化させること、発見メッセージ中のインテグリティ保護フィールドを追加または上書きすること、または発見メッセージを暗号化すること、のうちの１つまたは複数を実行するように構成されうる。一構成では、処理規則のセットを適用するための手段は、メッセージ処理コンポーネント１４１４またはプロセッサ１５０４でありうる。一構成では、処理規則のセットを適用するための手段は、図９の９２６または図１０の１０１４を参照して上で説明されたオペレーションを実行しうる。
【０１０１】
[00115]一構成では、装置１４０２／１４０２’は、発見メッセージを再ブロードキャストするための手段を含みうる。一構成では、発見メッセージを再ブロードキャストするための手段は、トランシーバ１５１０、１つまたは複数のアンテナ１５２０、送信コンポーネント１４１０、またはプロセッサ１５０４でありうる。一構成では、発見メッセージを再ブロードキャストするための手段は、図９の９２８、図１０の１０１６、図１２の１２２２、または図１３の１３１６を参照して上で説明されたオペレーションを実行しうる。
【０１０２】
[00116]一構成では、装置１４０２／１４０２’は、フィルタリング規則のセットおよび処理規則のセットを記憶するための手段を含みうる。一構成では、フィルタリング規則のセットおよび処理規則のセットを記憶するための手段は、ポリシー処理コンポーネント１４０８またはプロセッサ１５０４でありうる。一構成では、フィルタリング規則のセットおよび処理規則のセットを記憶するための手段は、図９の９０８または図１０の１００６を参照して上で説明されたオペレーションを実行しうる。
【０１０３】
[00117]一構成では、装置１４０２／１４０２’は、発見メッセージからメッセージ情報を抽出するための手段を含みうる。一構成では、発見メッセージからメッセージ情報を抽出するための手段は、メッセージ情報抽出コンポーネント１４０６またはプロセッサ１５０４でありうる。一構成では、発見メッセージからメッセージ情報を抽出するための手段は、図１２の１２１０または図１３の１３０８を参照して上で説明されたオペレーションを実行しうる。
【０１０４】
[00118]一構成では、装置１４０２／１４０２’は、抽出されたメッセージ情報を送信するための手段を含みうる。一構成では、抽出されたメッセージ情報を送信するための手段は、トランシーバ１５１０、１つまたは複数のアンテナ１５２０、送信コンポーネント１４１０、またはプロセッサ１５０４でありうる。一構成では、抽出されたメッセージ情報を送信するための手段は、図１２の１２１２または図１３の１３１０を参照して上で説明されたオペレーションを実行しうる。
【０１０５】
[00119]一構成では、装置１４０２／１４０２’は、発見メッセージの再ブロードキャストに関する命令を受信するための手段を含みうる。一構成では、発見メッセージの再ブロードキャストに関する命令を受信するための手段は、トランシーバ１５１０、１つまたは複数のアンテナ１５２０、受信コンポーネント１４０４、またはプロセッサ１５０４でありうる。一構成では、発見メッセージの再ブロードキャストに関する命令を受信するための手段は、図１２の１２１８または図１３の１３１２を参照して上で説明されたオペレーションを実行しうる。
【０１０６】
[00120]一構成では、装置１４０２／１４０２’は、発見メッセージの再ブロードキャストに関する命令がネットワークから取得されることになるかどうかを決定するために、発見メッセージにフィルタ機能を適用するための手段を含みうる。一構成では、発見メッセージにフィルタ機能を適用するための手段は、フィルタリングコンポーネント１４１２またはプロセッサ１５０４でありうる。一構成では、発見メッセージにフィルタ機能を適用するための手段は、図１２の１２０８または図１３の１３０４を参照して上で説明されたオペレーションを実行しうる。
【０１０７】
[00121]一構成では、装置１４０２／１４０２’は、発見メッセージの再ブロードキャストに関する命令に基づいて、発見メッセージを処理するための手段を含みうる。一構成では、命令に基づいて発見メッセージを処理するための手段は、メッセージ処理コンポーネント１４１４またはプロセッサ１５０４でありうる。一構成では、命令に基づいて発見メッセージを処理するための手段は、図１２の１２２０または図１３の１３１４を参照して上で説明されたオペレーションを実行しうる。
【０１０８】
[00122]上述の手段は、上述の手段によって記載された機能を実行するように構成された装置１４０２および／または装置１４０２’の処理システム１５１４の上述のコンポーネントのうちの１つまたは複数でありうる。上で説明されたように、処理システム１５１４は、ＴＸプロセッサ６６８、ＲＸプロセッサ６５６、およびコントローラ／プロセッサ６５９を含みうる。このように一構成では、上述の手段は、上述の手段によって記載された機能を実行するように構成されたＴＸプロセッサ６６８、ＲＸプロセッサ６５６、およびコントローラ／プロセッサ６５９でありうる。
【０１０９】
[00123]開示されたプロセス／フローチャートにおけるブロックの具体的な順序または階層が実例的な手法の例示であることは、理解される。設計選好に基づいてプロセス／フローチャートにおけるブロックの具体的な順序または階層が並べ替えられうることは、理解される。さらに、いくつかのブロックが組み合わせ、または省略されうる。添付の方法の請求項は、サンプルの順序で様々なブロックの要素を提示しており、提示された具体的な順序または階層に限定されるようには意図されていない。
【０１１０】
[00124]先の説明は、何れの当業者も本明細書で説明された様々な態様を実施することを可能とするように提供されている。これらの態様に対する様々な修正は当業者には容易に明らかになり、本明細書で定義されている一般的な原理は他の態様に適用されうる。したがって、請求項は、本明細書で図示されている態様に限定されるようには意図されていないが、請求項の記載と矛盾しない最大範囲を付与されることになり、ここにおいて、単数の要素への参照は、そのように特に述べられていない限り、「１つおよび１つのみ」を意味するのではなく、むしろ「１つまたは複数」を意味するように意図されている。「実例的」という言葉は、「例、事例、または例示としての役目をする」を意味するように本明細書では使用されている。「実例的」と本明細書で説明されている何れの態様も、必ずしも、他の態様よりも好まれる、または有利であると解釈されないことになる。別段に特に述べられていない限り、「いくつかの／何らかの（some）」という用語は、「１つまたは複数」を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの何れの組合せも」のような組合せは、Ａ、Ｂ、および／またはＣの何れの組合せも含み、複数のＡ、複数のＢ、または複数のＣを含みうる。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの何れの組合せも」のような組合せは、Ａのみ、Ｂのみ、Ｃのみ、ＡとＢ、ＡとＣ、ＢとＣ、またはＡとＢとＣであり得、ここで、何れのそのような組合せも、Ａ、Ｂ、またはＣのうちの１つまたは複数のメンバを含みうる。当業者に知られている、または後に知られることになる本開示全体で説明されている様々な態様の要素に対するすべての構造的および機能的な均等物は、参照によって本明細書に明確に組み込まれ、請求項によって含まれるように意図されている。さらに、本明細書で開示されている何れも、このような開示が請求項に明示的に記載されているかどうかにかかわらず、公衆に献呈されるようには意図されていない。どのクレーム要素も、要素が「のための手段」というフレーズを使用して明確に記載されていない限り、ミーンズプラスファンクションとして解釈されることにはならない。
【図１】
2019503108.tif 000003
【図２】
2019503108.tif 000004
【図３】
2019503108.tif 000005
【図４】
2019503108.tif 000006
【図５】
2019503108.tif 000007
【図６】
2019503108.tif 000008
【図７】
2019503108.tif 000009
【図８】
2019503108.tif 000010
【図９】
2019503108.tif 000011
【図１０】
2019503108.tif 000012
【図１１】
2019503108.tif 000013
【図１２】
2019503108.tif 000014
【図１３】
2019503108.tif 000015
【図１４】
2019503108.tif 000016
【図１５】
2019503108.tif 000017
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
発見メッセージのフィルタリングおよび処理に関する情報を含むポリシーに基づいて、フィルタリング規則のセットおよび処理規則のセットを決定することと、ここにおいて、前記フィルタリング規則のセットは、前記発見メッセージが再ブロードキャストを行われるべきかどうかを決定するために使用される、
前記フィルタリング規則のセットを受信された発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を備える、方法。
【請求項２】
前記ポリシーを受信することをさらに備え、前記ポリシーは、ワイヤレスインターフェースを介して受信され、前記ワイヤレスインターフェースは、基地局またはアクセスポイントからのダウンリンクチャネルである、請求項１に記載の方法。
【請求項３】
デバイス対デバイス通信チャネル上で前記発見メッセージを受信することをさらに備え、前記デバイス対デバイス通信チャネルは、ワイヤレス通信チャネルである、請求項１に記載の方法。
【請求項４】
前記ポリシーは、ネットワークから、またはネットワークサーバから受信される、請求項１に記載の方法。
【請求項５】
前記ネットワークサーバは、近接サービス（ＰｒｏＳｅ）サーバである、請求項４に記載の方法。
【請求項６】
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、請求項１に記載の方法。
【請求項７】
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、請求項１に記載の方法。
【請求項８】
前記発見メッセージは、前記発見メッセージが再ブロードキャストを行われるべきと前記フィルタリング規則のセットが決定するときに、前記フィルタリング規則のセットにパスする、請求項１に記載の方法。
【請求項９】
前記処理規則のセットを適用することは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を備える、請求項１に記載の方法。
【請求項１０】
前記発見メッセージは、前記発見メッセージの受信のためのと同じデバイス対デバイス通信チャネル、または異なるデバイス対デバイス通信チャネル上で再ブロードキャストされる、請求項１に記載の方法。
【請求項１１】
ユーザ機器（ＵＥ）によるワイヤレス通信の方法であって、
受信された発見メッセージからメッセージ情報を抽出することと、
前記抽出されたメッセージ情報をネットワークに送信することと、
前記発見メッセージの再ブロードキャストに関する命令を受信することと、
前記受信された命令に基づいて、前記発見メッセージを再ブロードキャストすることと、
を備える、方法。
【請求項１２】
デバイス対デバイス通信チャネル上で前記発見メッセージを受信することと、
前記発見メッセージの再ブロードキャストに関する命令が前記ネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
をさらに備える、請求項１１に記載の方法。
【請求項１３】
前記抽出されたメッセージ情報は、第１のワイヤレスインターフェースを介して送信され、前記命令は、第２のワイヤレスインターフェースを介して受信され、ここにおいて、前記第２のワイヤレスインターフェースは、前記第１のワイヤレスインターフェースと同じワイヤレスインターフェースであるか、または異なるワイヤレスインターフェースである、請求項１１に記載の方法。
【請求項１４】
前記抽出されたメッセージ情報は、前記発見メッセージの少なくとも一部を備える、請求項１１に記載の方法。
【請求項１５】
前記命令は、前記発見メッセージの変更、または前記発見メッセージ上の変化させられるべきある特定のフィールドに関する情報を備える、請求項１１に記載の方法。
【請求項１６】
前記発見メッセージの再ブロードキャストに関する前記命令に基づいて、前記発見メッセージを処理することをさらに備え、前記発見メッセージを再ブロードキャストすることは、前記処理された発見メッセージを再ブロードキャストすることを備える、請求項１１に記載の方法。
【請求項１７】
ワイヤレス通信のための装置であって、
メモリと、
前記メモリに結合され、かつ
発見メッセージのフィルタリングおよび処理に関する情報を含むポリシーに基づいて、フィルタリング規則のセットおよび処理規則のセットを決定することと、ここにおいて、前記フィルタリング規則のセットは、受信された発見メッセージが再ブロードキャストを行われるべきかどうかを決定するために使用される、
前記フィルタリング規則のセットを前記発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を行うように構成された少なくとも１つのプロセッサと、
を備える、装置。
【請求項１８】
前記少なくとも１つのプロセッサは、前記ポリシーを受信するようにさらに構成され、前記ポリシーは、ワイヤレスインターフェースを介して受信され、前記ワイヤレスインターフェースは、基地局またはアクセスポイントからのダウンリンクチャネルである、請求項１７に記載の装置。
【請求項１９】
前記ポリシーは、ネットワークから、またはネットワークサーバから受信される、請求項１７に記載の装置。
【請求項２０】
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、請求項１７に記載の装置。
【請求項２１】
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、請求項１７に記載の装置。
【請求項２２】
前記発見メッセージは、前記発見メッセージが再ブロードキャストを行われるべきと前記フィルタリング規則のセットが決定するときに、前記フィルタリング規則のセットにパスする、請求項１７に記載の装置。
【請求項２３】
前記処理規則のセットを適用するために、前記少なくとも１つのプロセッサは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を実行するように構成される、請求項１７に記載の装置。
【請求項２４】
ワイヤレス通信のための装置であって、前記装置は、ユーザ機器（ＵＥ）であり、
メモリと、
前記メモリに結合され、かつ
受信された発見メッセージからメッセージ情報を抽出することと、
前記抽出されたメッセージ情報をネットワークに送信することと、
前記発見メッセージの再ブロードキャストに関する命令を受信することと、
前記受信された命令に基づいて、前記発見メッセージを再ブロードキャストすることと、
を行うように構成された少なくとも１つのプロセッサと、
を備える、装置。
【請求項２５】
前記少なくとも１つのプロセッサは、
デバイス対デバイス通信チャネル上で前記発見メッセージを受信することと、
前記発見メッセージの再ブロードキャストに関する命令が前記ネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
を行うようにさらに構成される、請求項２４に記載の装置。
【請求項２６】
前記抽出されたメッセージ情報は、前記発見メッセージの少なくとも一部を備える、請求項２４に記載の装置。
【請求項２７】
前記命令は、前記発見メッセージの変更、または前記発見メッセージ上の変化させられるべきある特定のフィールドに関する情報を備える、請求項２４に記載の装置。
【請求項２８】
前記少なくとも１つのプロセッサは、前記発見メッセージの再ブロードキャストに関する前記命令に基づいて、前記発見メッセージを処理するようにさらに構成され、前記発見メッセージを再ブロードキャストするために、前記少なくとも１つのプロセッサは、前記処理された発見メッセージを再ブロードキャストするように構成される、請求項２４に記載の装置。
【手続補正２】
【補正対象書類名】明細書
【補正対象項目名】０１１０
【補正方法】変更
【補正の内容】
【０１１０】
[00124]先の説明は、何れの当業者も本明細書で説明された様々な態様を実施することを可能とするように提供されている。これらの態様に対する様々な修正は当業者には容易に明らかになり、本明細書で定義されている一般的な原理は他の態様に適用されうる。したがって、請求項は、本明細書で図示されている態様に限定されるようには意図されていないが、請求項の記載と矛盾しない最大範囲を付与されることになり、ここにおいて、単数の要素への参照は、そのように特に述べられていない限り、「１つおよび１つのみ」を意味するのではなく、むしろ「１つまたは複数」を意味するように意図されている。「実例的」という言葉は、「例、事例、または例示としての役目をする」を意味するように本明細書では使用されている。「実例的」と本明細書で説明されている何れの態様も、必ずしも、他の態様よりも好まれる、または有利であると解釈されないことになる。別段に特に述べられていない限り、「いくつかの／何らかの（some）」という用語は、「１つまたは複数」を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの何れの組合せも」のような組合せは、Ａ、Ｂ、および／またはＣの何れの組合せも含み、複数のＡ、複数のＢ、または複数のＣを含みうる。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの何れの組合せも」のような組合せは、Ａのみ、Ｂのみ、Ｃのみ、ＡとＢ、ＡとＣ、ＢとＣ、またはＡとＢとＣであり得、ここで、何れのそのような組合せも、Ａ、Ｂ、またはＣのうちの１つまたは複数のメンバを含みうる。当業者に知られている、または後に知られることになる本開示全体で説明されている様々な態様の要素に対するすべての構造的および機能的な均等物は、参照によって本明細書に明確に組み込まれ、請求項によって含まれるように意図されている。さらに、本明細書で開示されている何れも、このような開示が請求項に明示的に記載されているかどうかにかかわらず、公衆に献呈されるようには意図されていない。どのクレーム要素も、要素が「のための手段」というフレーズを使用して明確に記載されていない限り、ミーンズプラスファンクションとして解釈されることにはならない。
以下に本願の出願当初の特許請求の範囲に記載された発明を付記する。
［Ｃ１］
ワイヤレス通信の方法であって、
発見メッセージのフィルタリングおよび処理に関する情報を含むポリシーに基づいて、フィルタリング規則のセットおよび処理規則のセットを決定することと、
前記フィルタリング規則のセットを受信された発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を備える、方法。
［Ｃ２］
前記ポリシーを受信することをさらに備え、前記ポリシーは、ワイヤレスインターフェースを介して受信され、前記ワイヤレスインターフェースは、基地局またはアクセスポイントからのダウンリンクチャネルである、Ｃ１に記載の方法。
［Ｃ３］
デバイス対デバイス通信チャネル上で前記発見メッセージを受信することをさらに備え、前記デバイス対デバイス通信チャネルは、ワイヤレス通信チャネルである、Ｃ１に記載の方法。
［Ｃ４］
前記ポリシーは、ネットワークから、またはネットワークサーバから受信される、Ｃ１に記載の方法。
［Ｃ５］
前記ネットワークサーバは、近接サービス（ＰｒｏＳｅ）サーバである、Ｃ４に記載の方法。
［Ｃ６］
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、Ｃ１に記載の方法。
［Ｃ７］
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、Ｃ１に記載の方法。
［Ｃ８］
前記フィルタリング規則のセットは、前記発見メッセージが再ブロードキャストを行われるべきかどうかを決定し、前記発見メッセージは、前記発見メッセージが再ブロードキャストを行われるべきと前記フィルタリング規則のセットが決定するときに、前記フィルタリング規則のセットにパスする、Ｃ１に記載の方法。
［Ｃ９］
前記処理規則のセットを適用することは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を備える、Ｃ１に記載の方法。
［Ｃ１０］
前記発見メッセージは、前記発見メッセージの受信のためのと同じデバイス対デバイス通信チャネル、または異なるデバイス対デバイス通信チャネル上で再ブロードキャストされる、Ｃ１に記載の方法。
［Ｃ１１］
ワイヤレス通信の方法であって、
受信された発見メッセージからメッセージ情報を抽出することと、
前記抽出されたメッセージ情報を送信することと、
前記発見メッセージの再ブロードキャストに関する命令を受信することと、
前記受信された命令に基づいて、前記発見メッセージを再ブロードキャストすることと、
を備える、方法。
［Ｃ１２］
デバイス対デバイス通信チャネル上で前記発見メッセージを受信することと、
前記発見メッセージの再ブロードキャストに関する命令がネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
をさらに備える、Ｃ１１に記載の方法。
［Ｃ１３］
前記抽出されたメッセージ情報は、第１のワイヤレスインターフェースを介して送信され、前記命令は、第２のワイヤレスインターフェースを介して受信され、ここにおいて、前記第２のワイヤレスインターフェースは、前記第１のワイヤレスインターフェースと同じワイヤレスインターフェースであるか、または異なるワイヤレスインターフェースである、Ｃ１１に記載の方法。
［Ｃ１４］
前記抽出されたメッセージ情報は、前記発見メッセージの少なくとも一部を備える、Ｃ１１に記載の方法。
［Ｃ１５］
前記抽出されたメッセージ情報は、ネットワークに、またはネットワークサーバに送信される、Ｃ１１に記載の方法。
［Ｃ１６］
前記命令は、前記発見メッセージの変更、または前記発見メッセージ上の変化させられるべきある特定のフィールドに関する情報を備える、Ｃ１１に記載の方法。
［Ｃ１７］
前記発見メッセージの再ブロードキャストに関する前記命令に基づいて、前記発見メッセージを処理することをさらに備え、前記発見メッセージを再ブロードキャストすることは、前記処理された発見メッセージを再ブロードキャストすることを備える、Ｃ１１に記載の方法。
［Ｃ１８］
ワイヤレス通信のための装置であって、
メモリと、
前記メモリに結合され、かつ
発見メッセージのフィルタリングおよび処理に関する情報を含むポリシーに基づいて、フィルタリング規則のセットおよび処理規則のセットを決定することと、
前記フィルタリング規則のセットを前記発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を行うように構成された少なくとも１つのプロセッサと、
を備える、装置。
［Ｃ１９］
前記少なくとも１つのプロセッサは、前記ポリシーを受信するようにさらに構成され、前記ポリシーは、ワイヤレスインターフェースを介して受信され、前記ワイヤレスインターフェースは、基地局またはアクセスポイントからのダウンリンクチャネルである、Ｃ１８に記載の装置。
［Ｃ２０］
前記ポリシーは、ネットワークから、またはネットワークサーバから受信される、Ｃ１８に記載の装置。
［Ｃ２１］
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、Ｃ１８に記載の装置。
［Ｃ２２］
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、Ｃ１８に記載の装置。
［Ｃ２３］
前記フィルタリング規則のセットは、前記発見メッセージが再ブロードキャストを行われるべきかどうかを決定し、前記発見メッセージは、前記発見メッセージが再ブロードキャストを行われるべきと前記フィルタリング規則のセットが決定するときに、前記フィルタリング規則のセットにパスする、Ｃ１８に記載の装置。
［Ｃ２４］
前記処理規則のセットを適用するために、前記少なくとも１つのプロセッサは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を実行するように構成される、Ｃ１８に記載の装置。
［Ｃ２５］
ワイヤレス通信のための装置であって、
メモリと、
前記メモリに結合され、かつ
受信された発見メッセージからメッセージ情報を抽出することと、
前記抽出されたメッセージ情報を送信することと、
前記発見メッセージの再ブロードキャストに関する命令を受信することと、
前記受信された命令に基づいて、前記発見メッセージを再ブロードキャストすることと、
を行うように構成された少なくとも１つのプロセッサと、
を備える、装置。
［Ｃ２６］
前記少なくとも１つのプロセッサは、
デバイス対デバイス通信チャネル上で前記発見メッセージを受信することと、
前記発見メッセージの再ブロードキャストに関する命令がネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
を行うようにさらに構成される、Ｃ２５に記載の装置。
［Ｃ２７］
前記抽出されたメッセージ情報は、前記発見メッセージの少なくとも一部を備える、Ｃ２５に記載の装置。
［Ｃ２８］
前記抽出されたメッセージ情報は、ネットワークに、またはネットワークサーバに送信される、Ｃ２５に記載の装置。
［Ｃ２９］
前記命令は、前記発見メッセージの変更、または前記発見メッセージ上の変化させられるべきある特定のフィールドに関する情報を備える、Ｃ２５に記載の装置。
［Ｃ３０］
前記少なくとも１つのプロセッサは、前記発見メッセージの再ブロードキャストに関する前記命令に基づいて、前記発見メッセージを処理するようにさらに構成され、前記発見メッセージを再ブロードキャストするために、前記少なくとも１つのプロセッサは、前記処理された発見メッセージを再ブロードキャストするように構成される、Ｃ２５に記載の装置。
【国際調査報告】
2019503108.tif 000018
2019503108.tif 000019
2019503108.tif 000020